(57)【要約】  患者への医療バンドルの適切な送達を検証するための方法、装置、及びシステムが記載される。本方法、装置、及びシステムは、１人以上の患者への医療バンドルの送達を監視するため、医療バンドルの送達が患者に適切に送達されているか、又は送達されたかどうかを判定するように処理され得る音及び／若しくは画像等の送達データを収集するため、患者への医療バンドルの送達の間にフィードバックを提供するため、かつ／又は医療バンドルの適切な送達を示すインジケータを格納するために構成されてもよい。
2014505936.tif 000002
【特許請求の範囲】
【請求項１】
患者への医療バンドルの送達を検証する方法であって、
検証ユニットを使用して、選択された患者に送達される医療バンドルを登録する工程と、
前記登録された医療バンドルが前記選択された患者に送達されるべきかどうかを判定する工程と、
前記登録された医療バンドルが前記選択された患者に送達されるべきかどうかを判定した後で、前記検証ユニットを使用して登録フィードバック信号を提供する工程であって、前記登録フィードバック信号が、
前記登録された医療バンドルが前記選択された患者に送達されるべきである場合に、確認信号、及び
前記登録された医療バンドルが前記選択された患者に送達されるべきでない場合に、是正信号、のうちの少なくとも１つを含む、工程と、
前記登録された医療バンドルを前記選択された患者に送達する間に、送達データを収集する工程と、
前記登録された医療バンドルの送達の間に収集された前記データが、前記登録された医療バンドルの適切な送達に関連する１つ以上の選択された特徴を含むかどうかを判定する工程と、
前記データが前記１つ以上の選択された特徴を含むかどうかを判定した後で、前記検証ユニットを使用して送達フィードバック信号を提供する工程であって、前記フィードバック信号が、
前記データが前記登録された医療バンドルの適切な送達に関連する少なくとも１つの選択された特徴を含まない場合に、是正信号、及び
前記データが前記登録された医療バンドルの適切な送達に関連する少なくとも１つの選択された特徴を含む場合に、確認信号、のうちの少なくとも１つを含む、工程と、
前記登録された医療バンドルの送達の間に収集された前記データ中に見出される、前記選択された特徴のうちの少なくとも１つを示すインジケータを格納する工程と、を含む、方法。
【請求項２】
前記検証ユニットが、データ収集デバイスと、信号処理装置とを備え、前記データ収集デバイス及び前記処理装置が、前記登録された医療バンドルの送達の間にデータを収集し、前記収集されたデータを処理して、前記データが前記登録された医療バンドルの適切な送達に関連する前記１つ以上の選択された特徴を含むかどうかを判定するように構成される、請求項１に記載の方法。
【請求項３】
前記検証ユニットが、データ収集デバイスと、信号処理装置とを備え、前記データ収集デバイス及び前記信号処理装置が、前記登録された医療バンドルの送達の間に収集された前記データを遠隔信号処理装置に伝送するように構成され、前記遠隔信号処理装置が、前記検証ユニットによって収集された前記データを処理して、前記データが前記登録された医療バンドルの適切な送達に関連する前記１つ以上の選択された特徴を含むかどうかを判定するように構成される、請求項１に記載の方法。
【請求項４】
前記格納されたインジケータが、前記選択された特徴に関連するテキストデータを含む、請求項１〜３のいずれか一項に記載の方法。
【請求項５】
前記登録された医療バンドルの送達の間に収集された前記データが、前記選択された特徴を含む場合、前記格納されたインジケータが、前記選択された特徴を含む前記データのうちの少なくとも一部分を含む、請求項４に記載の方法。
【請求項６】
前記登録された医療バンドルの送達の間に収集された前記データが、選択された特徴を含む場合、前記格納されたインジケータが、前記選択された特徴に関連する代表的な特徴を含み、前記代表的な特徴が、前記登録された医療バンドルの送達の間に収集された前記特徴ではない、請求項４に記載の方法。
【請求項７】
前記医療バンドルの送達の間に収集された前記データ中の前記１つ以上の選択された特徴が、２つの選択された特徴を含む場合、前記方法が、
前記２つの選択された特徴が、前記登録された医療バンドルの適切な送達に関連する、選択された順序で及び／又は選択された期間内に生じるかどうかを判定する工程と、
前記２つの選択された特徴が、前記選択された順序で及び／又は前記選択された期間内に生じるかどうかを判定した後で、前記検証ユニットを使用して送達フィードバック信号を提供する工程であって、前記送達フィードバック信号が、
前記２つの選択された特徴が、前記登録された医療バンドルの適切な送達に関連する前記選択された順序で及び／又は前記選択された期間内に生じる場合に、確認信号、及び
前記２つの選択された特徴が、前記登録された医療バンドルの適切な送達に関連する前記選択された順序で及び／又は前記選択された期間内に生じない場合に、是正信号、のうちの少なくとも１つを含む、工程と、を更に含む、請求項１〜６のいずれか一項に記載の方法。
【請求項８】
前記送達データが、前記登録された医療バンドルの前記送達に関連する音、１つ以上の画像、又はそれらの組み合わせを含み、前記送達データが音を含む場合、前記選択された特徴は１つ以上の選択されたオーディオ署名を含み、前記送達データが１つ以上の画像を含む場合、前記選択された特徴は１つ以上の対象を含み、前記１つ以上の画像が静止画像及び動画のうちの少なくとも１つを含む、請求項１〜７のいずれか一項に記載の方法。
【請求項９】
前記送達データが前記登録された医療バンドルの送達に関連する音を含み、選択された特徴が１つ以上の選択されたオーディオ署名を含み、各選択されたオーディオ署名が、前記登録された医療バンドルの送達の間に話された、選択された音声パターンか、又は前記登録された医療バンドルの送達の間に収集された、選択された非音声パターンかのいずれかを含む、請求項８に記載の方法。
【請求項１０】
前記登録された医療バンドルの送達の間に収集された前記音で識別される、選択された非音声パターンが、流水によってもたらされる音、ハンドサニタイザーディスペンサを動作するときにもたらされる音、２０キロヘルツを上回る周波数範囲の音、及び選択されたパッケージを開封するときにもたらされる音のうちの１つ以上を含む、請求項９に記載の方法。
【請求項１１】
前記登録された医療バンドルの送達の間に収集された前記音中の選択されたオーディオ署名が、選択された音声パターンを含む場合、前記格納されたインジケータが、前記選択された音声パターンに由来するテキストデータを含む、請求項８又は９に記載の方法。
【請求項１２】
前記送達データが前記登録された医療バンドルの送達に関連する１つ以上の画像を含み、前記選択された特徴が１つ以上の対象を含む、請求項８に記載の方法。
【請求項１３】
前記検証ユニットを使用して、前記登録された医療バンドルに関連する選択された情報を公開する工程を更に含む、請求項１〜１２のいずれか一項に記載の方法。
【請求項１４】
前記選択された情報が、前記登録された医療バンドルを前記選択された患者に送達することに関する少なくとも１つの指示を含む、請求項１３に記載の方法。
【請求項１５】
前記選択された患者に送達される前記医療バンドルを登録する工程が、前記選択された医療バンドルに関連するバンドルクレデンシャルからバンドルデータを得ることを含む、請求項１〜１４のいずれか一項に記載の方法。
【請求項１６】
補助収集デバイスが、前記登録された医療バンドルの送達の間に収集された前記１つ以上の選択された特徴のうちの少なくとも１つの特徴を収集し、前記補助収集デバイスが、超音波撮像デバイス、撮像耳鏡、バーコードスキャナー、携帯電話、聴診器、及びそれらの組み合わせからなる群から選択される、請求項１〜１５のいずれか一項に記載の方法。
【請求項１７】
患者への医療バンドルの送達を検証する方法であって、
検証ユニットを使用して、選択された患者に送達される医療バンドルを登録する工程と、
前記登録された医療バンドルが、前記選択された患者に送達されるべきかどうかを判定する工程と、
前記登録された医療バンドルが前記選択された患者に送達されるべきかどうかを判定した後で、前記検証ユニットを使用して登録フィードバック信号を提供する工程であって、前記登録フィードバック信号が、
前記登録された医療バンドルが前記選択された患者に送達されるべき場合に、確認信号、及び
前記登録された医療バンドルが前記選択された患者に送達されるべきでない場合に、是正信号、のうちの少なくとも１つを含む、工程と、
前記登録された医療バンドルを前記選択された患者に送達する間に、前記登録された医療バンドルの送達に関連する音を収集する、工程と、
前記登録された医療バンドルの送達に関連する１つ以上の画像を収集する工程と、
前記登録された医療バンドルの送達の間に収集された前記音が、前記登録された医療バンドルの適切な送達に関連する１つ以上の選択されたオーディオ署名を含むかどうかを判定する工程であって、各選択されたオーディオ署名が、前記登録された医療バンドルの送達の間に話された、選択された音声パターンか、又は前記登録された医療バンドルの送達の間に収集された、選択された非音声パターンかのいずれかを含む、工程と、
前記登録された医療バンドルの送達の間に収集された前記１つ以上の画像が、前記登録された医療バンドルの適切な送達に関連する選択された対象を含むかどうかを判定する工程と、
前記音が前記１つ以上の選択されたオーディオ署名を含むかどうかを判定した後で、前記検証ユニットを使用して送達フィードバック信号を提供する工程であって、前記フィードバック信号が、前記音が前記登録された医療バンドルの適切な送達に関連する、少なくとも１つの選択されたオーディオ署名を含まない場合に、是正信号、及び前記音が前記登録された医療バンドルの適切な送達に関連する、少なくとも１つの選択されたオーディオ署名を含む場合に、確認信号、のうちの少なくとも１つを含む、工程と、
前記登録された医療バンドルの送達の間に収集された前記１つ以上の画像が前記選択された対象を含むかどうかを判定した後で、前記検証ユニットを使用して送達フィードバック信号を提供する工程であって、前記フィードバック信号が、前記１つ以上の画像が前記登録された医療バンドルの適切な送達に関連する前記選択された対象を含まない場合に、是正信号、及び前記１つ以上の画像が前記登録された医療バンドルの適切な送達に関連する前記選択された対象を含む場合に、確認信号、のうちの少なくとも１つを含む、工程と、
前記登録された医療バンドルの送達の間に収集された前記音に見出される、前記選択されたオーディオ署名のうちの少なくとも１つを示すインジケータを格納する工程と、
前記登録された医療バンドルの送達の間に収集された前記１つ以上の画像に見出される、前記登録された医療バンドルの適切な送達に関連する少なくとも１つの選択された対象を示すインジケータを格納する工程と、を含む、方法。
【請求項１８】
前記登録された医療バンドルの送達の間に収集された前記送達データが、選択されたオーディオ署名と選択された対象とを含む場合、前記方法が、
前記選択されたオーディオ署名及び前記選択された対象を含む前記画像が、前記登録された医療バンドルの適切な送達に関連する、選択された順序で及び／又は選択された期間内に収集されたかどうかを判定する工程と、
前記選択されたオーディオ署名及び前記選択された対象を含む前記画像が、前記選択された順序で及び／又は前記選択された期間内に収集されたかどうかを判定した後で、前記検証ユニットを使用して送達フィードバック信号を提供する工程であって、前記送達フィードバック信号が、
前記選択されたオーディオ署名及び前記選択された対象を含む前記画像が、前記登録された医療バンドルの適切な送達に関連する、前記選択された順序で及び／又は前記選択された期間内に収集された場合に、確認信号、及び
前記選択されたオーディオ署名及び前記選択された対象を含む前記画像が、前記登録された医療バンドルの適切な送達に関連する、前記選択された順序で及び／又は前記選択された期間内に収集されなかった場合に、是正信号、のうちの少なくとも１つを含む、工程と、を更に含む、請求項１７に記載の方法。
【請求項１９】
前記検証ユニットが、データ収集デバイスと信号処理装置とを備え、前記データ収集デバイス及び前記処理装置が、前記登録された医療バンドルの送達の間にデータを収集し、前記収集されたデータを処理して、前記データが前記登録された医療バンドルの適切な送達に関連する前記１つ以上の選択された特徴を含むかどうかを判定するように構成される、請求項１７又は１８に記載の方法。
【請求項２０】
前記検証ユニットが、データ収集デバイスと信号処理装置とを備え、前記データ収集デバイス及び前記信号処理装置が、前記登録された医療バンドルの送達の間に収集された前記データを遠隔信号処理装置に伝送するように構成され、前記遠隔信号処理装置が、前記検証ユニットによって収集された前記データを処理して、前記データが、前記登録された医療バンドルの適切な送達に関連する前記１つ以上の選択された特徴を含むかどうかを判定するように構成される、請求項１７又は１８に記載の方法。
【請求項２１】
患者への医療バンドルの送達を検証するためのシステムであって、
医療施設の通信ネットワークを通じて、中央制御装置に操作可能に接続される複数の検証ユニットであって、前記検証ユニットの各々が、
選択された患者に送達される医療バンドルを登録するように構成された登録装置と、
前記検証ユニットに隣接する人によって検出が可能なフィードバック信号を送達するように構成されたフィードバック信号装置と、
医療バンドルの送達の間に送達データを収集するように構成された送達データ収集装置と、を備える、複数の検証ユニットを備え、
前記システムが、
前記登録された医療バンドルが前記選択された患者に送達されるべきかどうかを判定し、
前記登録された医療バンドルが前記選択された患者に送達されるべきかどうかを判定した後で、前記検証ユニットの前記フィードバック信号装置を使用して登録フィードバック信号を提供し、
前記検証ユニットによって収集されたデータが、前記登録された医療バンドルの適切な送達に関連する１つ以上の選択された特徴を含むかどうかを判定し、
前記データが前記選択された特徴のうちの１つ以上を含むかどうかを判定した後で、前記検証ユニットの前記フィードバック信号装置を使用して送達フィードバック信号を提供し、
前記登録された医療バンドルの送達の間に収集された前記音に見出される、任意の前記選択された特徴のうちの少なくとも１つを示すインジケータを格納するように構成される、システム。
【請求項２２】
前記フィードバック信号装置が、可視信号、可聴信号、触覚信号、及び２つ以上のそれらの組み合わせからなる群から選択されるフィードバック信号を提供するように構成される、請求項２１に記載のシステム。
【請求項２３】
前記検証ユニットが、データ収集デバイスと信号処理装置とを備え、前記データ収集デバイス及び前記処理装置が、前記登録された医療バンドルの送達の間にデータを収集し、前記収集されたデータを処理して、前記データが前記登録された医療バンドルの適切な送達に関連する前記１つ以上の選択された特徴を含むかどうかを判定するように構成される、請求項２１又は２２に記載のシステム。
【請求項２４】
前記医療バンドルの送達の間に収集された前記データ中の前記１つ以上の選択された特徴が、２つの選択された特徴を含む場合、前記システムが、
前記２つの選択された特徴が、前記登録された医療バンドルの適切な送達に関連する、選択された順序で及び／又は選択された期間内に生じるかどうかを判定し、
前記２つの選択された特徴が、前記選択された順序で及び／又は前記選択された期間内に生じるかどうかを判定した後で、前記検証ユニットを使用して送達フィードバック信号を提供するように構成される、請求項２１〜２３のいずれか一項に記載のシステム。
【請求項２５】
前記送達データが、前記登録された医療バンドルの送達に関連する音を含み、選択された特徴が１つ以上の選択されたオーディオ署名を含み、各選択されたオーディオ署名が、前記登録された医療バンドルの送達の間に話された、選択された音声パターンか、又は前記登録された医療バンドルの送達の間に収集された、選択された非音声パターンかのいずれかを含む、請求項２４に記載の方法。
【請求項２６】
前記登録された医療バンドルの送達の間に収集された前記音中の前記選択されたオーディオ署名が、選択された非音声パターンを含む場合、前記格納されたインジケータが、前記選択された非音声パターンに関連する代表的な音を含み、前記代表的な音が、前記登録された医療バンドルの送達の間に収集された前記音でない、請求項２５に記載のシステム。
【請求項２７】
前記送達データが、前記登録された医療バンドルの送達に関連する１つ以上の画像を含み、前記選択された特徴が１つ以上の対象を含む、請求項２１〜２６のいずれか一項に記載のシステム。
【請求項２８】
登録された医療バンドルに関連する選択された情報を、前記検証ユニットに隣接する人に公開するように構成された公開装置を更に備える、請求項２１〜２７のいずれか一項に記載のシステム。
【請求項２９】
前記選択された情報が、前記登録された医療バンドルを前記選択された患者に送達することに関する少なくとも１つの指示を含む、請求項２８に記載のシステム。
【発明の詳細な説明】
【技術分野】
【０００１】
医療バンドルの形態で医療の適切な送達を検証する方法、装置、及びシステムが本明細書に記載される。
【背景技術】
【０００２】
医療関連感染（ＨＡＩ）は重大な問題である。一般的なＨＡＩとしては、外科手術部位感染（ＳＳＩ）、血液流感染（ＢＳＩ）、尿路感染（ＵＴＩ）、ベンチレータ関連肺炎（ＶＡＰ）、及び水平伝播感染（例えばＭＲＳＡ）が挙げられる。
【０００３】
多くの場合、医療予後の改善は、患者に医療を送達するために用いられる実務によって影響され得る。しかし、多くの医療施設でのせわしない高ストレスの環境では、一貫しかつ効果的な医療の送達に支障をきたす場合がある。医療の送達を改善するために医療職員にトレーニング及び再トレーニングを提供することができる医療施設もいくつかあるが、そのような試みは時間及び労力を要し、したがって費用がかさむ。更に、医療送達の実務は、患者予後を改善するためにそれらの実務が適応されるに伴い、常に変化し続けているため、更なるトレーニング及び再トレーニングが必要になる。
【発明の概要】
【課題を解決するための手段】
【０００４】
患者への医療バンドルの適切な送達を検証するための方法、装置、及びシステムが、本明細書に記載される。様々な実施形態では、本方法、装置、及びシステムを使用して、１人以上の患者への医療バンドルの送達を監視してもよい。いくつかの実施形態では、本方法、装置、及びシステムは、処理され、医療バンドルの送達が患者に適切に送達されているかどうか、又は送達されたかどうかを判定することが可能な、音及び／又は画像等の送達データを収集するように構成されてもよい。いくつかの実施形態では、本方法、装置、及びシステムは、患者への医療バンドルの送達の間に、フィードバックを提供するように構成されてもよい。いくつかの実施形態では、本明細書に記載の方法、装置、及びシステムは、医療バンドルの適切な送達を示すインジケータを格納するように構成されてもよい。
【０００５】
本明細書に記載の方法、装置、及びシステムのいくつかの実施形態の１つの潜在的な利点としては、例えば、患者への医療バンドルのより一貫した送達が挙げられる。本明細書に記載の方法、装置、及びシステムのいくつかの実施形態の別の潜在的な利点は、送達データを収集し、そのデータを使用して、医療バンドル送達プロセスの間に医療バンドルの適切な又は不適切な送達に関してフィードバックを提供する能力である。本明細書に記載のように、検証プロセスの一環として送達されるフィードバックは、医療バンドルを送達する人が、送達プロセスの間になされた間違いを是正することを可能にしてもよく、かつ／又は、後に続く患者への同一の医療バンドルの送達において、同一の間違いがなされるという可能性を減少させてもよい。
【０００６】
本明細書に記載される「医療バンドル」は、患者への医療の送達に使用されるものであり、医療バンドルは「ともに実行されたときに、個々に実施されたときよりも優れた結果をもたらす、疾患プロセスに関係する一群の介入（実務）」として定義され得る。本明細書で使用するとき、医療バンドルは、典型的に、１つ以上の物的品目と、１つ以上の物的品目の使用に関連するプロセスと、所望により、１つ以上の物的品目を使用するプロセスの監視とを含むことになるが、これらは必ずしも必要ではない。プロセスの監視は、特定の医療バンドル送達順序のうちの異なる工程の実行の間の時間、及び／又は個別の医療バンドルの送達の間の時間の監視を含むことができる。医療バンドルは、患者医療全体を通して、すなわち、医療の術前、周術期、及び術後の段階において、使用されてもよい。
【０００７】
医療バンドルの物的品目は、キット（例えばカテーテル、アルコール拭き取り用品、ドレープ、ハンドクリーナー等のような使い捨ての品）、機器（聴診器、環境モニター、血圧モニター等）、又はディスペンサ（ハンドサニタイザーディスペンサ、滅菌拭き取り用品等）を含むことができる。医療バンドルに含まれるプロセスは、患者への医療バンドルに関連する医療の送達において使用される工程である。
【０００８】
医療バンドルは、例えば泌尿器内カテーテル医療、静脈内カテーテル医療、気管内チューブ医療、機器監視、薬剤送達、バイタルサイン監視、環境監視等（ただし限定せず）を含む、患者へのほぼあらゆる医療の送達とともに使用するために設定され得る。
【０００９】
医療バンドルの一例として、気管内チューブは、患者の呼吸を支援するためにベンチレータとの組み合わせにおいて使用され、ＶＡＰ（ベンチレータ関連肺炎）の原因となる場合がある。気管内チューブ（「ＶＡＰバンドル」と称されることもある）の挿入のための医療バンドルは、口腔ケアを患者に提供するための物的品目、並びに医療バンドルの一部として実装されるプロセスに関連する指示（医療バンドルの物的品目の使用を実際に伴っても伴わなくてもよい）を含む場合がある。患者に提供されるほぼあらゆるその他の医療のために、その他の医療バンドルを設定することも可能である。
【００１０】
医療バンドルの適切な送達に関連する医療バンドル及び送達プロトコルは、異なる医療施設間で異なり得る。更に、所与の医療施設内で、医療バンドル、及び任意の医療バンドルの適切な送達に関連する送達プロトコルは、患者（患者の年齢、症状等に基づいて）、医療バンドルを送達する医療職員、推奨される実務の変化等に基づいて変更してもよい。換言すると、医療施設は、任意の要因、すなわち、患者予後の改善、患者予後に悪影響を与えることなく費用を低減すること等に基づいて、医療バンドル及び送達プロトコルを変更してもよい。本明細書に記載の方法、装置、及びシステムは、好ましくは、医療バンドルに関連する適切な送達プロトコルにおける、異なる医療施設、患者等の間の任意のそのような変動に適合するように構成され得る。
【００１１】
第１の態様では、本明細書に記載のように、患者への医療バンドルの送達を検証する方法のいくつかの実施形態は、検証ユニットを使用して、選択された患者に送達される医療バンドルを登録する工程と、登録された医療バンドルが選択された患者に送達されるべきかどうかを判定する工程と、登録された医療バンドルが選択された患者に送達されるべきかどうかを判定した後で、検証ユニットを使用して登録フィードバック信号を提供する工程であって、登録フィードバック信号は、登録された医療バンドルが選択された患者に送達されるべきである場合に、確認信号、及び登録された医療バンドルが選択された患者に送達されるべきでない場合に、是正信号、のうちの少なくとも１つを含む、工程とを含んでもよい。本方法は、登録された医療バンドルを選択された患者に送達する間に、送達データを収集する工程であって、送達データが、登録された医療バンドルの送達に関連する音を含む、工程と、登録された医療バンドルの送達の間に収集された音が、登録された医療バンドルの適切な送達に関連する、１つ以上の選択されたオーディオ署名を含むかどうかを判定する工程であって、各選択されたオーディオ署名が、登録された医療バンドルの送達の間に話された、選択された音声パターンか、又は登録された医療バンドルの送達の間に収集された、選択された非音声パターンかのいずれかを含む、工程と、音が１つ以上の選択されたオーディオ署名を含むかどうかを判定した後で、検証ユニットを使用して送達フィードバック信号を提供する工程であって、フィードバック信号が、音が登録された医療バンドルの適切な送達に関連する少なくとも１つの選択されたオーディオ署名を含まない場合に、是正信号、及び音が登録された医療バンドルの適切な送達に関連する少なくとも１つの選択されたオーディオ署名を含む場合に、確認信号、のうちの少なくとも１つを含む、工程とを更に含んでもよい。本方法は、登録された医療バンドルの送達の間に収集された音に見出される、選択されたオーディオ署名のうちの少なくとも１つを示すインジケータを格納する工程を更に含んでもよい。
【００１２】
別の態様では、本明細書に記載のように、患者への医療バンドルの送達を検証する方法のいくつかの実施形態は、選択された患者に送達される医療バンドルを登録する工程と、検証ユニットを使用して、登録された医療バンドルに関連する選択された情報を公開する工程と、登録された医療バンドルを選択された患者に送達する間に、送達データを収集する工程であって、送達データが、登録された医療バンドルの送達に関連する音を含む、工程と、登録された医療バンドルの送達の間に収集された音が、登録された医療バンドルの適切な送達に関連する１つ以上の選択されたオーディオ署名を含むかどうかを判定する工程であって、各選択されたオーディオ署名が、登録された医療バンドルの送達の間に話された、選択された音声パターンか、又は登録された医療バンドルの送達の間に収集された、選択された非音声パターンかのいずれかを含む、工程と、音が１つ以上の選択されたオーディオ署名を含むかどうかを判定した後で、検証ユニットを使用して送達フィードバック信号を提供する工程であって、フィードバック信号が、音が登録された医療バンドルの適切な送達に関連する少なくとも１つの選択されたオーディオ署名を含まない場合に、是正信号、及び音が登録された医療バンドルの適切な送達に関連する少なくとも１つの選択されたオーディオ署名を含む場合に、確認信号、のうちの少なくとも１つを含む、工程とを含んでもよい。本方法は、登録された医療バンドルの送達の間に収集された音に見出される、選択されたオーディオ署名のうちの少なくとも１つを示すインジケータを格納する工程を更に含んでもよい。
【００１３】
別の態様では、本明細書に記載のように、患者への医療バンドルの送達を検証する方法のいくつかの実施形態は、検証ユニットを使用して、選択された患者に送達される医療バンドルを登録する工程と、登録された医療バンドルが選択された患者に送達されるべきかどうかを判定する工程と、登録された医療バンドルが選択された患者に送達されるべきかどうかを判定した後で、検証ユニットを使用して登録フィードバック信号を提供する工程であって、登録フィードバック信号は、登録された医療バンドルが選択された患者に送達されるべきである場合に、確認信号、及び登録された医療バンドルが選択された患者に送達されるべきでない場合に、是正信号、のうちの少なくとも１つを含む、工程とを含んでもよい。本方法は、登録された医療バンドルを選択された患者に送達する間に、送達データを収集する工程であって、送達データが、登録された医療バンドルの送達に関連する１つ以上の画像を含む、工程と、登録された医療バンドルの送達の間に収集された１つ以上の画像が、登録された医療バンドルの適切な送達に関連する選択された対象を含むかどうかを判定する工程と、登録された医療バンドルの送達の間に収集された１つ以上の画像が選択された対象を含むかどうかを判定した後で、検証ユニットを使用して送達フィードバック信号を提供する工程であって、フィードバック信号が、１つ以上の画像が登録された医療バンドルの適切な送達に関連する選択された対象を含まない場合に、是正信号、及び１つ以上の画像が登録された医療バンドルの適切な送達に関連する選択された対象を含む場合に、確認信号、のうちの少なくとも１つを含む、工程とを更に含んでもよい。本方法は、登録された医療バンドルの送達の間に収集された１つ以上の画像に見出される、登録された医療バンドルの適切な送達に関連する少なくとも１つの選択された対象を示すインジケータを格納する工程を更に含んでもよい。
【００１４】
別の態様では、本明細書に記載のように、患者への医療バンドルの送達を検証する方法のいくつかの実施形態は、選択された患者に送達される医療バンドルを登録する工程と、検証ユニットを使用して、登録された医療バンドルに関連する選択された情報を公開する工程と、登録された医療バンドルを選択された患者に送達する間に、送達データを収集する工程であって、送達データが、登録された医療バンドルの送達に関連する１つ以上の画像を含む、工程と、登録された医療バンドルの送達の間に収集された１つ以上の画像が、登録された医療バンドルの適切な送達に関連する選択された対象を含むかどうかを判定する工程と、登録された医療バンドルの送達の間に収集された１つ以上の画像が選択された対象を含むかどうかを判定した後で、検証ユニットを使用して送達フィードバック信号を提供する工程であって、フィードバック信号が、１つ以上の画像が登録された医療バンドルの適切な送達に関連する選択された対象を含まない場合に、是正信号、及び１つ以上の画像が登録された医療バンドルの適切な送達に関連する選択された対象を含む場合に、確認信号、のうちの少なくとも１つを含む、工程とを含んでもよい。本方法は、登録された医療バンドルの送達の間に収集された１つ以上の画像に見出される、登録された医療バンドルの適切な送達に関連する少なくとも１つの選択された対象を示すインジケータを格納する工程を更に含んでもよい。
【００１５】
本明細書に記載の方法のいくつかの実施形態では、検証ユニットは、マイクロホンとオーディオ信号処理装置とを備え、マイクロホン及びオーディオ信号処理装置は、登録された医療バンドルの送達の間に音を収集し、収集された音を処理して、音が、登録された医療バンドルの適切な送達に関連する１つ以上の選択されたオーディオ署名を含むかどうかを判定するように構成される。
【００１６】
本明細書に記載の方法のいくつかの実施形態では、検証ユニットは、マイクロホンとオーディオ信号処理装置とを備え、マイクロホン及びオーディオ信号処理装置が、登録された医療バンドルの送達の間に収集された音を遠隔オーディオ信号処理装置に伝送するように構成され、遠隔オーディオ信号処理装置が、検証ユニットによって収集された音を処理して、音が、登録された医療バンドルの適切な送達に関連する１つ以上の選択されたオーディオ署名を含むかどうかを判定するように構成される。
【００１７】
本明細書に記載の方法のいくつかの実施形態では、補助オーディオ収集デバイスは、登録された医療バンドルの送達の間に収集された音の少なくとも一部分を収集する。いくつかの実施形態では、補助オーディオ収集デバイスは聴診器を備える。
【００１８】
本明細書に記載の方法のいくつかの実施形態では、登録された医療バンドルの送達の間に収集された音で識別される、選択された非音声パターンが、流水によってもたらされる音、ハンドサニタイザーディスペンサを動作するときにもたらされる音、２０キロヘルツを上回る周波数範囲の音、及び選択されたパッケージを開封するときにもたらされる音のうちの１つ以上を含む。
【００１９】
本明細書に記載の方法のいくつかの実施形態では、格納されたインジケータはテキストデータを含む。
【００２０】
本明細書に記載の方法のいくつかの実施形態では、登録された医療バンドルの送達の間に収集された１つ以上の画像が選択された対象を含む場合、格納されたインジケータは、選択された対象を含む画像の少なくとも一部分を含む。
【００２１】
本明細書に記載の方法のいくつかの実施形態では、登録された医療バンドルの送達の間に収集された１つ以上の画像が選択された対象を含む場合、格納されたインジケータは選択された対象に関連する代表的な画像を含み、その代表的な画像は、登録された医療バンドルの送達の間に収集された画像ではない。
【００２２】
本明細書に記載の方法のいくつかの実施形態では、登録された医療バンドルの送達の間に収集された音中の選択されたオーディオ署名が、選択された音声パターンを含む場合、格納されたインジケータは、選択された音声パターンに由来するテキストデータを含む。
【００２３】
本明細書に記載の方法のいくつかの実施形態では、登録された医療バンドルの送達の間に収集された音中の選択されたオーディオ署名が、選択された非音声パターンを含む場合、格納されたインジケータは、選択された非音声パターンを含む、検証ユニットによって収集された音の少なくとも一部分を含む。
【００２４】
本明細書に記載の方法のいくつかの実施形態では、登録された医療バンドルの送達の間に収集された音中の選択されたオーディオ署名が、選択された非音声パターンを含む場合、格納されたインジケータは、選択された非音声パターンに関連する代表的な音を含み、その代表的な音は、登録された医療バンドルの送達の間に収集された音ではない。
【００２５】
本明細書に記載の方法のいくつかの実施形態では、医療バンドルの送達の間に収集された音中の１つ以上の選択されたオーディオ署名が、２つの選択されたオーディオ署名を含む場合、その方法は、２つの選択されたオーディオ署名が、登録された医療バンドルの適切な送達に関連する、選択された順序で及び／又は選択された期間内に生じるかどうかを判定する工程と、２つの選択されたオーディオ署名が、選択された順序で及び／又は選択された期間内に生じるかどうかを判定した後で、検証ユニットを使用して送達フィードバック信号を提供する工程であって、送達フィードバック信号は、２つの選択されたオーディオ署名が、登録された医療バンドルの適切な送達に関連する、選択された順序で及び／又は選択された期間内に生じる場合に、確認信号、及び２つの選択されたオーディオ署名が、登録された医療バンドルの適切な送達に関連する、選択された順序で及び／又は選択された期間内に生じない場合に、是正信号、のうちの少なくとも１つを含む、工程とを更に含む。
【００２６】
本明細書に記載の方法のいくつかの実施形態では、医療バンドルの送達の間に収集された音中の１つ以上の選択されたオーディオ署名が、選択された音声パターンと選択された非音声パターンとを含む２つの選択されたオーディオ署名を含む場合、その方法は、選択された音声パターン及び選択された非音声パターンが、登録された医療バンドルの適切な送達に関連する、選択された順序で及び／又は選択された期間内に生じるかどうかを判定する工程と、選択された音声パターン及び選択された非音声パターンが、選択された順序で及び／又は選択された期間内に生じるかどうかを判定した後で、検証ユニットを使用して送達フィードバック信号を提供する工程であって、送達フィードバック信号が、選択された音声パターン及び選択された非音声パターンが、登録された医療バンドルの適切な送達に関連する、選択された順序で及び／又は選択された期間内に生じる場合に、確認信号、及び選択された音声パターン及び選択された非音声パターンが、登録された医療バンドルの適切な送達に関連する、選択された順序で及び／又は選択された期間内に生じない場合に、是正信号、のうちの少なくとも１つを含む、工程とを更に含む。
【００２７】
本明細書に記載の方法のいくつかの実施形態では、医療バンドルの送達の間に収集された音中の１つ以上の選択されたオーディオ署名が２つの選択された音声パターンを含む場合、その方法は、２つの選択された音声パターンが、登録された医療バンドルの適切な送達に関連する選択された順序で及び／又は選択された期間内に生じるかどうかを判定する工程と、２つの選択された音声パターンが、選択された順序で及び／又は選択された期間内に生じるかどうかを判定した後で、検証ユニットを使用して送達フィードバック信号を提供する工程であって、送達フィードバック信号は、２つの選択された音声パターンが、登録された医療バンドルの適切な送達に関連する、選択された順序で及び／又は選択された期間内である場合に、確認信号、及び２つの選択された音声パターンが、登録された医療バンドルの適切な送達に関連する、選択された順序で及び／又は選択された期間内に生じない場合に、是正信号、のうちの少なくとも１つを含む、工程とを更に含む。
【００２８】
本明細書に記載の方法のいくつかの実施形態では、医療バンドルの送達の間に収集された音中の１つ以上の選択されたオーディオ署名が、２つの選択された音声パターン及び選択された非音声パターンを含む場合、その方法は、２つの選択された音声パターン及び選択された非音声パターンが、登録された医療バンドルの適切な送達に関連する選択された順序で生じるかどうかを判定する工程と、２つの選択された音声パターン及び選択された非音声パターンが選択された順序で生じるかどうかを判定した後で、検証ユニットを使用して送達フィードバック信号を提供する工程であって、送達フィードバック信号が、２つの選択された音声パターン及び選択された非音声パターンが、登録された医療バンドルの適切な送達に関連する選択された順序である場合に、確認信号、及び２つの選択された音声パターン及び選択された非音声パターンが、登録された医療バンドルの適切な送達に関連する選択された順序で生じない場合に、是正信号、のうちの少なくとも１つを含む、工程とを更に含む。
【００２９】
本明細書に記載の方法のいくつかの実施形態では、登録された医療バンドルを選択された患者に送達する間に、送達データを収集する工程は、登録された医療バンドルの送達に関連する１つ以上の画像を収集する工程と、登録された医療バンドルの送達の間に収集された１つ以上の画像が、登録された医療バンドルの適切な送達に関連する選択された対象を含むかどうかを判定する工程と、登録された医療バンドルの送達の間に収集された１つ以上の画像が選択された対象を含むかどうかを判定した後で、検証ユニットを使用して送達フィードバック信号を提供する工程であって、フィードバック信号が、１つ以上の画像が登録された医療バンドルの適切な送達に関連する選択された対象を含まない場合に、是正信号、及び１つ以上の画像が登録された医療バンドルの適切な送達に関連する選択された対象を含む場合に確認信号、のうちの少なくとも１つを含む、工程と、登録された医療バンドルの送達の間に収集された１つ以上の画像に見出される、登録された医療バンドルの適切な送達に関連する少なくとも１つの選択された対象を示すインジケータを格納する工程とを含む。
【００３０】
画像が送達データとして収集される、本明細書に記載の方法のいくつかの実施形態では、検証ユニットは、カメラと画像処理装置とを備え、カメラ及び画像処理装置は、登録された医療バンドルの送達の間に画像を収集し、収集された画像を処理して、１つ以上の画像が、登録された医療バンドルの適切な送達に関連する選択された対象を含むかどうかを判定するように構成される。
【００３１】
画像が送達データとして収集される、本明細書に記載の方法のいくつかの実施形態では、検証ユニットは、カメラと画像処理装置とを備え、カメラ及び画像処理装置は、登録された医療バンドルの送達の間に収集された１つ以上の画像を遠隔画像処理装置に伝送するように構成され、遠隔画像処理装置は収集された画像を処理して、１つ以上の画像が、登録された医療バンドルの適切な送達に関連する選択された対象を含むかどうかを判定するように構成される。
【００３２】
画像が送達データとして収集される、本明細書に記載の方法のいくつかの実施形態では、補助画像収集デバイスは、登録された医療バンドルの送達の間に収集された１つ以上の画像のうちの少なくとも１つの画像を収集する。いくつかの実施形態では、補助画像収集デバイスは、超音波撮像デバイス、撮像耳鏡、バーコードスキャナー、携帯電話、及びそれらの組み合わせからなる群から選択される。
【００３３】
画像が送達データとして収集される、本明細書に記載の方法のいくつかの実施形態では、登録された医療バンドルの送達の間に収集された送達データが、選択されたオーディオ署名と選択された対象とを含む場合、その方法は、選択されたオーディオ署名及び選択された対象を含む画像が、登録された医療バンドルの適切な送達に関連する、選択された順序で及び／又は選択された期間内に収集されたかどうかを判定する工程と、選択されたオーディオ署名及び選択された対象を含む画像が、選択された順序で及び／又は選択された期間内に収集されたかどうかを判定した後で、検証ユニットを使用して送達フィードバック信号を提供する工程であって、送達フィードバック信号が、選択されたオーディオ署名及び選択された対象を含む画像が、登録された医療バンドルの適切な送達に関連する、選択された順序で及び／又は選択された期間内に収集された場合に、確認信号、及び選択されたオーディオ署名及び選択された対象を含む画像が、登録された医療バンドルの適切な送達に関連する、選択された順序で及び／又は選択された期間内に収集されなかった場合に、是正信号、のうちの少なくとも１つを含む、工程とを更に含む。
【００３４】
画像が送達データとして収集される、本明細書に記載の方法のいくつかの実施形態では、登録された医療バンドルの送達の間に収集された送達データが、選択された音声パターンと選択された対象を含む画像とを含む場合、その方法は、選択された音声パターン及び選択された対象を含む画像が、登録された医療バンドルの適切な送達に関連する、選択された順序で及び／又は選択された期間内に収集されたかどうかを判定する工程と、選択された音声パターン及び選択された対象を含む画像が、選択された順序で及び／又は選択された期間内に収集されたかどうかを判定した後で、検証ユニットを使用して送達フィードバック信号を提供する工程であって、送達フィードバック信号が、選択された音声パターン及び選択された対象を含む画像が、登録された医療バンドルの適切な送達に関連する、選択された順序で及び／又は選択された期間内に収集された場合に、確認信号、及び選択された音声パターン及び選択された対象を含む画像が、登録された医療バンドルの適切な送達に関連する、選択された順序で及び／又は選択された期間内に収集されなかった場合に、是正信号、のうちの少なくとも１つを含む、工程とを更に含む。
【００３５】
画像が送達データとして収集される、本明細書に記載の方法のいくつかの実施形態では、登録された医療バンドルの送達の間に収集された送達データが、選択された非音声パターンと選択された対象を含む画像とを含む場合、その方法は、選択された非音声パターン及び選択された対象を含む画像が、登録された医療バンドルの適切な送達に関連する、選択された順序で及び／又は選択された期間内に収集されたかどうかを判定する工程と、選択された非音声パターン及び選択された対象を含む画像が、選択された順序で及び／又は選択された期間内に収集されたかどうかを判定した後で、検証ユニットを使用して送達フィードバック信号を提供する工程であって、送達フィードバック信号が、選択された非音声パターン及び選択された対象を含む画像が、登録された医療バンドルの適切な送達に関連する、選択された順序で及び／又は選択された期間内に収集された場合に、確認信号、及び選択された非音声パターン及び選択された対象を含む画像が、登録された医療バンドルの適切な送達に関連する、選択された順序で及び／又は選択された期間内に収集されなかった場合に、是正信号、のうちの少なくとも１つを含む、工程とを更に含む。
【００３６】
本明細書に記載の方法のいくつかの実施形態では、選択された患者へ送達される登録された医療バンドルを登録する工程は、医療バンドルを登録する工程の一環として音を収集することと、医療バンドルを登録する工程の一環として収集された音が、医療バンドルの識別に関連する選択された音声パターンを含むかどうかを判定することとを含む。
【００３７】
本明細書に記載の方法のいくつかの実施形態では、選択された患者に送達される医療バンドルを登録する工程は、選択された医療バンドルに関連するバンドルクレデンシャルからバンドルデータを得ることを含む。
【００３８】
本明細書に記載の方法のいくつかの実施形態では、選択された患者に送達される医療バンドルを登録する工程は、選択された医療バンドルに関連する、バンドルクレデンシャルの光学的しるしをスキャニングすることによって、選択された医療バンドルに関連するバンドルデータを得ることを含む。
【００３９】
本明細書に記載の方法のいくつかの実施形態では、選択された患者に送達される医療バンドルを登録する工程は、選択された医療バンドルに関連する画像を得ることと、その画像が、選択された医療バンドルの識別に関連する選択された対象を含むかどうかを判定することとを含む。
【００４０】
本明細書に記載の方法のいくつかの実施形態では、その方法は、検証ユニットを使用して、登録された医療バンドルに関連する選択された情報を公開する工程を更に含む。いくつかの実施形態では、選択された情報は、登録された医療バンドルを選択された患者に送達することに関する少なくとも１つの指示を含む。いくつかの実施形態では、選択された情報は、医療バンドルを登録する前に、検証ユニットに格納される。いくつかの実施形態では、選択された情報は、医療バンドルを登録した後で、検証ユニットに送達される。
【００４１】
本明細書に記載の方法のいくつかの実施形態では、医療バンドルの送達の間に収集された１つ以上の画像が、２つの画像を含み、その各々が、登録された医療バンドルの適切な送達に関連する選択された対象を含む場合、その方法は、２つの画像が登録された医療バンドルの適切な送達に関連する、選択された順序で及び／又は選択された期間内に収集されたかどうかを判定する工程と、２つの画像が選択された順序で及び／又は選択された期間内に収集されたかどうかを判定した後で、検証ユニットを使用して送達フィードバック信号を提供する工程であって、送達フィードバック信号が、２つの画像が登録された医療バンドルの適切な送達に関連する、選択された順序で及び／又は選択された期間内に収集された場合に、確認信号、及び２つの画像が登録された医療バンドルの適切な送達に関連する、選択された順序で及び／又は選択された期間内に収集されなかった場合に、是正信号、のうちの少なくとも１つを含む、工程とを更に含む。
【００４２】
別の態様では、本明細書に記載のように、患者への医療バンドルの送達を検証するためのシステムのいくつかの実施形態は、医療施設の通信ネットワークを通じて中央制御装置に操作可能に接続される複数の検証ユニットを含んでもよい。検証ユニットの各々が、選択された患者に送達される医療バンドルを登録するように構成された登録装置と、検証ユニットに隣接する人によって検出が可能なフィードバック信号を送達するように構成されたフィードバック信号装置と、医療バンドルの送達の間に音の形態で送達データを収集するように構成された送達データ収集装置とを含んでもよい。本システムは、登録された医療バンドルが選択された患者に送達されるべきかどうかを判定し、登録された医療バンドルが選択された患者に送達されるべきかどうかを判定した後で、検証ユニットのフィードバック信号装置を使用して登録フィードバック信号を提供し、検証ユニットによって収集された音が、登録された医療バンドルの適切な送達に関連する１つ以上の選択されたオーディオ署名を含むかどうかを判定し、ここにおいて各選択されたオーディオ署名が、登録された医療バンドルの送達の間に話された、選択された音声パターンか、又は登録された医療バンドルの送達の間に収集された、選択された非音声パターンかのいずれかを含み、音が、選択されたオーディオ署名のうちの１つ以上を含むかどうかを判定した後で、検証ユニットのフィードバック信号装置を使用して送達フィードバック信号を提供し、登録された医療バンドルの送達の間に収集された音に見出される、任意の選択されたオーディオ署名のうちの少なくとも１つを示すインジケータを格納するように構成されてもよい。
【００４３】
別の態様では、本明細書に記載のように、患者への医療バンドルの送達を検証するためのシステムについてのいくつかの実施形態は、医療施設の通信ネットワークを通じて中央制御装置に操作可能に接続される複数の検証ユニットを含んでもよい。検証ユニットの各々が、検証ユニットに隣接する人に、登録された医療バンドルに関連する選択された情報を公開するように構成された公開装置と、検証ユニットに隣接する人によって検出が可能なフィードバック信号を送達するように構成されたフィードバック信号装置と、医療バンドルの送達の間に音の形態で送達データを収集するように構成された送達データ収集装置とを含んでもよい。本システムは、登録された医療バンドルが選択された患者に送達されるべきかどうかを判定し、登録された医療バンドルが選択された患者に送達されるべきかどうかを判定した後で、検証ユニットのフィードバック信号装置を使用して登録フィードバック信号を提供し、検証ユニットによって収集された音が、登録された医療バンドルの適切な送達に関連する１つ以上の選択されたオーディオ署名を含むかどうかを判定し、ここにおいて各選択されたオーディオ署名が、登録された医療バンドルの送達の間に話された、選択された音声パターンか、又は登録された医療バンドルの送達の間に収集された、選択された非音声パターンかのいずれかを含み、音が、選択されたオーディオ署名のうちの１つ以上を含むかどうかを判定した後で、検証ユニットのフィードバック信号装置を使用して送達フィードバック信号を提供し、登録された医療バンドルの送達の間に収集された音に見出される、任意の選択されたオーディオ署名のうちの少なくとも１つを示すインジケータを格納するように構成される。
【００４４】
別の態様では、本明細書に記載のように、患者への医療バンドルの送達を検証するためのシステムのいくつかの実施形態は、医療施設の通信ネットワークを通じて中央制御装置に操作可能に接続される複数の検証ユニットを含んでもよい。検証ユニットの各々が、選択された患者に送達される医療バンドルを登録するように構成された登録装置と、検証ユニットに隣接する人によって検出が可能なフィードバック信号を送達するように構成されたフィードバック信号装置と、医療バンドルの送達の間に登録された医療バンドルの送達に関連する１つ以上の画像の形態で送達データを収集するように構成された送達データ収集装置とを含んでもよい。本システムは、登録された医療バンドルが選択された患者に送達されるべきかどうかを判定し、登録された医療バンドルが選択された患者に送達されるべきかどうかを判定した後で、検証ユニットのフィードバック信号装置を使用して登録フィードバック信号を提供し、登録された医療バンドルの送達の間に収集された１つ以上の画像が、登録された医療バンドルの適切な送達に関連する選択された対象を含むかどうかを判定し、登録された医療バンドルの送達の間に収集された１つ以上の画像が選択された対象を含むかどうかを判定した後で、検証ユニットのフィードバック信号装置を使用して送達フィードバック信号を提供し、登録された医療バンドルの送達の間に収集された１つ以上の画像に見出される、登録された医療バンドルの適切な送達に関連する選択された対象を示すインジケータを格納するように構成される。
【００４５】
別の態様では、本明細書に記載のように、患者への医療バンドルの送達を検証するためのシステムのいくつかの実施形態は、医療施設の通信ネットワークを通じて中央制御装置に操作可能に接続される複数の検証ユニットを含んでもよい。検証ユニットの各々が、検証ユニットに隣接する人に、登録された医療バンドルに関連する選択された情報を公開するように構成された公開装置と、検証ユニットに隣接する人によって検出が可能なフィードバック信号を送達するように構成されたフィードバック信号装置と、医療バンドルの送達の間に、登録された医療バンドルの送達に関連する１つ以上の画像の形態で送達データを収集するように構成された送達データ収集装置とを含んでもよい。本システムは、登録された医療バンドルが選択された患者に送達されるべきかどうかを判定し、登録された医療バンドルが選択された患者に送達されるべきかどうかを判定した後で、検証ユニットのフィードバック信号装置を使用して登録フィードバック信号を提供し、登録された医療バンドルの送達の間に収集された１つ以上の画像が、登録された医療バンドルの適切な送達に関連する選択された対象を含むかどうかを判定し、登録された医療バンドルの送達の間に収集された１つ以上の画像が選択された対象を含むかどうかを判定した後で、検証ユニットのフィードバック信号装置を使用して送達フィードバック信号を提供し、登録された医療バンドルの送達の間に収集された１つ以上の画像に見出される、登録された医療バンドルの適切な送達に関連する選択された対象を示すインジケータを格納するように構成される。
【００４６】
本明細書に記載のシステムのいくつかの実施形態では、フィードバック信号装置は、可視信号、可聴信号、触覚信号、及び２つ又はそれ以上のそれらの組み合わせからなる群から選択されるフィードバック信号を提供するように構成される。
【００４７】
本明細書に記載のシステムのいくつかの実施形態では、検証ユニットは、マイクロホンとオーディオ信号処理装置とを備え、マイクロホン及びオーディオ信号処理装置は、登録された医療バンドルの送達の間に音を収集し、収集された音を処理して、音が、登録された医療バンドルの適切な送達に関連する１つ以上の選択されたオーディオ署名を含むかどうかを判定するように構成される。
【００４８】
本明細書に記載のシステムのいくつかの実施形態では、中央制御装置は、検証ユニットによって収集された音を処理して、検証ユニットによって収集された音が、登録された医療バンドルの適切な送達に関連する１つ以上の選択されたオーディオ署名を含むかどうかを判定するように構成された遠隔オーディオ信号処理装置を備え、検証ユニットは、マイクロホンと、オーディオ信号処理装置と、登録された医療バンドルの送達の間に検証ユニットによって収集された音を遠隔オーディオ信号処理装置に伝送するように構成された通信装置とを備える。
【００４９】
本明細書に記載のシステムのいくつかの実施形態では、システムは、登録された医療バンドルの送達の間に収集された少なくとも一部分の音を収集するように構成された補助オーディオ収集デバイスを更に備える。いくつかの実施形態では、補助オーディオ収集デバイスは聴診器を備える。
【００５０】
いくつかの実施形態では、システムは、流水によってもたらされる音、ハンドサニタイザーディスペンサを動作するときにもたらされる音、２０キロヘルツを上回る周波数範囲の音、及び選択されたパッケージを開封するときにもたらされる音のうちの１つ以上を含む、選択された非音声パターンを識別するように構成される。
【００５１】
本明細書に記載のシステムのいくつかの実施形態では、格納されたインジケータはテキストデータを含む。
【００５２】
本明細書に記載のシステムのいくつかの実施形態では、登録された医療バンドルの送達の間に収集された音中の選択されたオーディオ署名が、選択された音声パターンを含む場合、格納されたインジケータは、選択された音声パターンに由来するテキストデータを含む。
【００５３】
本明細書に記載のシステムのいくつかの実施形態では、登録された医療バンドルの送達の間に収集された音中の選択されたオーディオ署名が、選択された非音声パターンを含む場合、格納されたインジケータは、選択された非音声パターンを含む、検証ユニットによって収集された音の少なくとも一部分を含む。
【００５４】
本明細書に記載のシステムのいくつかの実施形態では、登録された医療バンドルの送達の間に収集された音中の選択されたオーディオ署名が、選択された非音声パターンを含む場合、格納されたインジケータは、選択された非音声パターンに関連する代表的な音を含み、代表的な音は、登録された医療バンドルの送達の間に収集された音ではない。
【００５５】
本明細書に記載のシステムのいくつかの実施形態では、登録された医療バンドルの送達の間に収集された１つ以上の画像が選択された対象を含む場合、格納されたインジケータは、選択された対象を含む画像の少なくとも一部分を含む。
【００５６】
本明細書に記載のシステムのいくつかの実施形態では、登録された医療バンドルの送達の間に収集された１つ以上の画像が選択された対象を含む場合、格納されたインジケータは選択された対象に関連する代表的な画像を含み、その代表的な画像は、登録された医療バンドルの送達の間に収集された画像ではない。
【００５７】
本明細書に記載のシステムのいくつかの実施形態では、医療バンドルの送達の間に収集された音中の１つ以上の選択されたオーディオ署名が２つの選択されたオーディオ署名を含む場合、システムは、２つの選択されたオーディオ署名が、登録された医療バンドルの適切な送達に関連する、選択された順序で及び／又は選択された期間内に生じるかどうかを判定し、２つの選択されたオーディオ署名が、選択された順序で及び／又は選択された期間内に生じるかどうかを判定した後で、検証ユニットを使用して送達フィードバック信号を提供するように構成される。
【００５８】
本明細書に記載のシステムのいくつかの実施形態では、医療バンドルの送達の間に収集された音中の１つ以上の選択されたオーディオ署名が、選択された音声パターンと選択された非音声パターンとを含む２つの選択されたオーディオ署名を含む場合、システムは、選択された音声パターン及び選択された非音声パターンが、登録された医療バンドルの適切な送達に関連する、選択された順序で及び／又は選択された期間内に生じるかどうかを判定し、選択された音声パターン及び選択された非音声パターンが、選択された順序で及び／又は選択された期間内に生じるかどうかを判定した後で、検証ユニットを使用して送達フィードバック信号を提供するように構成される。
【００５９】
本明細書に記載のシステムのいくつかの実施形態では、医療バンドルの送達の間に収集された音中の１つ以上の選択されたオーディオ署名が、２つの選択された音声パターンを含む場合、システムは、２つの選択された音声パターンが、登録された医療バンドルの適切な送達に関連する、選択された順序で及び／又は選択された期間内に生じるかどうかを判定し、２つの選択された音声パターンが、選択された順序で及び／又は選択された期間内に生じるかどうかを判定した後で、検証ユニットを使用して送達フィードバック信号を提供するように構成される。
【００６０】
本明細書に記載のシステムのいくつかの実施形態では、医療バンドルの送達の間に収集された音中の１つ以上の選択されたオーディオ署名が、２つの選択された音声パターンと選択された非音声パターンとを含む場合、システムは、２つの選択された音声パターン及び選択された非音声パターンが、登録された医療バンドルの適切な送達に関連する、選択された順序で及び／又は選択された期間内に生じるかどうかを判定し、２つの選択された音声パターン及び選択された非音声パターンが、選択された順序で及び／又は選択された期間内に生じるかどうかを判定した後で、検証ユニットを使用して送達フィードバック信号を提供するように構成される。
【００６１】
本明細書に記載のシステムのいくつかの実施形態では、検証ユニットは、登録された医療バンドルの送達に関連する１つ以上の画像を収集するように構成され、システムは、登録された医療バンドルの送達の間に収集された１つ以上の画像が、登録された医療バンドルの適切な送達に関連する選択された対象を含むかどうかを判定し、登録された医療バンドルの送達の間に収集された１つ以上の画像が選択された対象を含むかどうかを判定した後で、検証ユニットを使用して送達フィードバック信号を提供し、登録された医療バンドルの送達の間に収集された１つ以上の画像に見出される、登録された医療バンドルの適切な送達に関連する少なくとも１つの選択された対象を示すインジケータを格納するように構成される。
【００６２】
１つ以上の画像が収集されるシステムのいくつかの実施形態では、検証ユニットは、カメラと画像処理装置とを備え、カメラ及び画像処理装置は、画像を収集し、収集された画像を処理して、１つ以上の画像が、登録された医療バンドルの適切な送達に関連する選択された対象を含むかどうかを判定するように構成される。
【００６３】
１つ以上の画像が収集されるシステムのいくつかの実施形態では、中央制御装置は、検証ユニットによって収集された画像を処理し、検証ユニットによって収集された画像のうちの１つ以上が、登録された医療バンドルの適切な送達に関連する選択された対象を含むかどうかを判定するように構成された遠隔画像処理装置を備え、検証ユニットは、カメラと、画像処理装置と、登録された医療バンドルの送達の間に検証ユニットによって収集された画像を遠隔画像処理装置に伝送するように構成された通信装置とを備える。
【００６４】
１つ以上の画像が収集されるシステムのいくつかの実施形態では、システムは、登録された医療バンドルの送達の間に収集された１つ以上の画像のうちの少なくとも１つの画像を収集するように構成された補助画像収集デバイスを更に備える。いくつかの実施形態では、補助画像収集デバイスは、超音波撮像デバイス、撮像耳鏡、バーコードスキャナー、携帯電話、及びそれらの組み合わせからなる群から選択される。
【００６５】
本明細書に記載のシステムのいくつかの実施形態では、登録された医療バンドルの送達の間に収集された送達データが、選択されたオーディオ署名と、選択された対象とを含む場合、システムは、選択されたオーディオ署名及び選択された対象を含む画像が、登録された医療バンドルの適切な送達に関連する、選択された順序で及び／又は選択された期間内に収集されたかどうかを判定し、選択されたオーディオ署名及び選択された対象を含む画像が、選択された順序で及び／又は選択された期間内に収集されたかどうかを判定した後で、検証ユニットを使用して送達フィードバック信号を提供するように構成される。
【００６６】
本明細書に記載のシステムのいくつかの実施形態では、登録された医療バンドルの送達の間に収集された送達データが、選択された音声パターンと選択された対象を含む画像とを含む場合、システムは、選択された音声パターン及び選択された対象を含む画像が、登録された医療バンドルの適切な送達に関連する、選択された順序で及び／又は選択された期間内に収集されたかどうかを判定し、選択された音声パターン及び選択された対象を含む画像が、選択された順序で及び／又は選択された期間内に収集されたかどうかを判定した後で、検証ユニットを使用して送達フィードバック信号を提供するように構成される。
【００６７】
本明細書に記載のシステムのいくつかの実施形態では、登録された医療バンドルの送達の間に収集された送達データが、選択された非音声パターンと選択された対象を含む画像とを含む場合、システムは、選択された非音声パターン及び選択された対象を含む画像が、登録された医療バンドルの適切な送達に関連する、選択された順序で及び／又は選択された期間内に収集されたかどうかを判定し、選択された非音声パターン及び選択された対象を含む画像が、選択された順序で及び／又は選択された期間内に収集されたかどうかを判定した後で、検証ユニットを使用して送達フィードバック信号を提供するように構成される。
【００６８】
本明細書に記載のシステムのいくつかの実施形態では、検証ユニットの登録装置は、医療バンドルを登録する工程の一環として音を収集するように構成され、システムは、医療バンドルを登録する工程の一環として収集された音が、医療バンドルの識別に関連する選択された音声パターンを含むかどうかを判定するように構成される。
【００６９】
本明細書に記載のシステムのいくつかの実施形態では、検証ユニットの登録装置は、選択された医療バンドルに関連するバンドルクレデンシャルからバンドルデータを得るように構成される。
【００７０】
本明細書に記載のシステムのいくつかの実施形態では、検証ユニットの登録装置は、選択された医療バンドルに関連するバンドルクレデンシャルの光学的しるしをスキャニングすることによって、選択された医療バンドルに関連するバンドルデータを得るように構成される。
【００７１】
本明細書に記載のシステムのいくつかの実施形態では、検証ユニットの登録装置は、選択された医療バンドルに関連する画像を得るように構成され、システムは、画像が、選択された医療バンドルの識別に関連する選択された対象を含むかどうかを判定するように構成される。
【００７２】
本明細書に記載のシステムのいくつかの実施形態では、公開装置は、選択された患者に登録された医療バンドルを送達することに関する少なくとも１つの指示を公開するように構成される。
【００７３】
本明細書に記載のシステムのいくつかの実施形態では、公開装置によって公開される、選択された情報は、検証ユニットに格納される。
【００７４】
本明細書に記載のシステムのいくつかの実施形態では、公開装置によって公開される、選択された情報は、中央制御装置に格納され、システムは、登録された医療バンドルの送達の間に、選択された情報を検証ユニットに送達するように構成される。
【００７５】
本明細書に記載のシステムのいくつかの実施形態では、医療バンドルの送達の間に収集された１つ以上の画像が、２つの画像を含む場合、それらの各々が、登録された医療バンドルの適切な送達に関連する選択された対象を含み、システムは、２つの画像が、登録された医療バンドルの適切な送達に関連する、選択された順序で及び／又は選択された期間内に収集されたかどうかを判定し、２つの画像が、選択された順序で及び／又は選択された期間内に収集されたかどうかを判定した後で、検証ユニットを使用して送達フィードバック信号を提供するように構成される。
【００７６】
用語「好ましい」及び「好ましくは」は、特定の環境において特定の利益を供する可能性がある実施形態を示す。しかしながら、同じ、又は他の状況下においては、他の実施形態が好ましい場合もある。更に、１つ以上の好ましい実施形態の引用は、他の実施形態が有用ではないという意味を含むものではなく、他の実施形態を本発明の範囲から除外することを意図しない。
【００７７】
本明細書で使用するとき、「ａ」、「ａｎ」、「ｔｈｅ」、「少なくとも１つの」及び「１以上の」は、互換可能に使用される。したがって、例えば、医療バンドルは、１つ、２つ、３つ、又はそれ以上の医療バンドルを指すために使用されてもよい。
【００７８】
用語「及び／又は」は、列挙されている要素の１つ又は全て、あるいは、列挙されている要素の任意の２つ以上の組み合わせを意味する。
【００７９】
上記概要は、本明細書に記載のように、患者への医療バンドルの送達を検証するための方法、装置、及びシステムの各実施形態又は全ての実施を記載することを意図しない。むしろ、本明細書に記載の方法、装置、及びシステムのより完全な理解は、添付の図面を考慮して、以下の「発明を実施するための形態」及び「特許請求の範囲」を参照することによって明白となり、かつ認識されるであろう。
【図面の簡単な説明】
【００８０】
【図１】本明細書に記載のように、医療バンドルの送達を検証する方法の１つの例示的実施形態の概要図。
【図２】本明細書に記載のように、医療バンドルの送達を検証する方法の一環として登録フィードバックを提供する例示的方法の一部分の概要図。
【図３】医療バンドルの送達の間に収集された音が、医療バンドルの適切な送達に関連する選択されたオーディオ署名を含むかどうかを判定する例示的方法の一部分の概要図。
【図４】医療バンドルの送達の間に収集された音で識別される、２つの選択されたオーディオ署名が、医療バンドルの適切な送達に関連する選択された順序で生じるかどうかを判定する例示的方法の一部分の概要図。
【図５】本明細書に記載のように、医療バンドルの送達の間に１つ以上の画像を収集し、これらの画像を使用して、送達フィードバック信号を提供する方法の概要図。
【図６】医療バンドルの送達の間に収集された画像のうちの１つ以上が、医療バンドルの適切な送達に関連する選択された対象を含むかどうかを判定する例示的方法の一部分の概要図。
【図７】選択された対象を含むオーディオ署名及び画像が、医療バンドルの適切な送達に関連する選択された順序で収集されたかどうかを判定する例示的方法の一部分の概要図。
【図８】患者に送達される医療バンドルに関連する選択された情報を公開する工程を含む、本明細書に記載のように、医療バンドルの送達を検証する方法の別の例示的実施形態の概要図。
【図９】医療バンドルの適切な送達を検証するために画像の使用を含む、本明細書に記載のように、医療バンドルの送達を検証する方法の別の例示的実施形態の概要図。
【図１０】２つの選択された対象を含む画像が、医療バンドルの適切な送達に関連する選択された順序で収集されたかどうかを判定する例示的方法の一部分の概要図。
【図１１】送達される医療バンドルに関連する選択された情報を公開する工程、並びに画像を収集及び処理する工程を含む、本明細書に記載のように、医療バンドルの送達を検証する方法の別の例示的実施形態の概要図。
【図１２】本明細書に記載の方法、装置、及びシステムに関連して使用され得る検証ユニットの一実施形態の概要図。
【図１３】本明細書に記載の方法、装置、及びシステムとともに使用され得る検証ユニットの別の例示的実施形態の斜視図。
【図１４】例えば、医療施設等内で、医療バンドルの適切な送達を検証するために使用され得る１つの例示的システムの概要図。
【発明を実施するための形態】
【００８１】
例示的実施形態の以下の説明において、その一部を形成する添付の図面が参照され、本明細書で記述されるシステム及び／又は方法が実施され得る特定の実施形態が実例として示されている。本発明の範囲から逸脱することなく他の実施形態が利用されてもよく、並びに構造的変更が行われてもよいことは理解されるであろう。
【００８２】
患者への医療バンドルの送達を検証する方法の様々な例示的実施形態が、本明細書に提供される概要図に描かれる。一般的に、本明細書に記載の方法、装置、及びシステムは、選択された患者への医療バンドルの送達の間に、音及び／又は画像の形態での送達データの収集を伴う（例えば、動画等のそれらの収集も含み得る）。次いで、その送達データは、医療バンドルの適切な送達に関連する選択されたオーディオ署名（音の場合）及び／又は選択された対象（画像の場合）を識別するために分析される。次いで、様々なフィードバック信号が、医療バンドルの適切な送達が検証され得るか、又は是正され得るかのいずれかであるように、治療現場で、すなわち、医療バンドルが送達されている場所で提供され得る。更に、本方法は、記録が、医療バンドルが患者に適切に送達された（又はされなかった）ことを管理し得るように、医療バンドルの適切な送達を示すインジケータの格納工程を含み得る。
【００８３】
本明細書に記載の様々な方法、装置、及びシステムは、任意の選択された医療施設内で、医療バンドルの適切な送達を検証するように構成されてもよい。本明細書で使用するとき、用語「医療施設」は、例えば、病院、長期医療施設、ホスピス施設、医療クリニック、家庭医療環境、又は患者が居る任意の他の環境等を含む多様な環境を含んでもよい。
【００８４】
図１を参照すると、１つの例示的実施形態では、方法１０は、選択された患者に送達される医療バンドルを登録する工程を伴ってもよい（１２）。選択された患者への送達のための医療バンドルを登録するために使用される登録プロセスは、幅広い多様な形態を取ってもよい。しかしながら、登録プロセスは、典型的に、医療バンドルとそれが送達される患者との間に関連性を作ること又は生み出すことを伴う。その関連性は、例えば、バーコードをスキャニングすること又は他の光学的しるしを検出すること、近接度に基づいた検出システム（例えば、無線ＩＣタグ（ＲＦＩＤ）等）を使用すること、キーボードを使用して欧数字データを入力すること等を伴い得る。
【００８５】
本明細書に記載の方法、装置、及びシステムに関連して、登録プロセスは、前節に記載の登録方法に加えて、又はその代わりに、１つ以上の選択されたオーディオ署名（例えば、話し言葉又は音等）、及び／又は１つ以上の画像に見出される１つ以上の選択された対象の形態でデータを検出すること又は収集することを伴ってもよい。登録プロセスが、話し言葉の形態で選択されたオーディオ署名の検出を伴う場合、本方法は、選択された患者に送達される医療バンドルを識別するために使用され得る１つ以上の選択された音声パターン（すなわち、各選択された音声パターンは１つ以上の話し言葉、頭字語等を含む）を検出するために、音声認識ソフトウェアを使用して、話し言葉を含む音を処理する工程を更に伴ってもよい。登録プロセスが、１つ以上の画像を収集することを伴う場合、画像は処理され、選択された患者に送達される医療バンドルの識別に関連する画像中の任意の選択された対象を識別してもよい。
【００８６】
選択された患者へ送達するための医療バンドルを登録する方法のいくつかの実施形態では、登録プロセスは、選択された医療バンドルに関連する、バンドルクレデンシャルからバンドルデータを得ることを伴ってもよい。そのような方法では、医療バンドルの各々が、好ましくは、医療バンドルに関連するバンドルクレデンシャルを含む。多くの例では、医療バンドルは、使い捨て又は再利用可能であり得る１つ以上の品目を含んでもよい。そのような状況では、バンドルクレデンシャルは、その品目自体の上、若しくはその中に、及び／又は医療バンドルの１つ以上の品目を送達するために使用されるパッケージング内に提供されてもよい。
【００８７】
バンドルクレデンシャルの各々が、バンドルクレデンシャルに関連する選択された医療バンドルに関連するバンドルデータを含んでもよい。いくつかの実施形態では、バンドルデータは、例えば選択された医療バンドルの識別に限定される。他の実施形態では、バンドルクレデンシャル上に又はその中に存在するバンドルデータは、例えば、医療バンドルの使用又は送達に関する１つ以上の指示、医療バンドルの送達に関連する送達プロトコル等の情報を含んでもよい。バンドルクレデンシャルは、例えば、バッチ、タグ、ラベル、又は医療バンドル中に含まれる１つ以上の品目によって持ち運ばれ得る、ないしは別の方法でそれに取り付けられ得る任意の他の物品等、多様な異なる形態を取ってもよい。バンドルクレデンシャルの物理的形態に関わらず、それらは、好ましくは１つ以上の形態でバンドルデータを含み、バンドルデータは、本明細書に記載のように、選択された患者にバンドルクレデンシャルに関連する医療バンドルを登録するために使用される。
【００８８】
バンドルデータの潜在的形態は、例えば、光学的しるし、揮発性／不揮発性メモリ（例えば、フラッシュメモリ等）、英数字等であってもよく、バンドルデータが格納される形態（複数可）は、好ましくは、登録プロセスの一環としてバンドルクレデンシャルからバンドルデータを得るために使用される任意の登録装置に適合する。バンドルデータが提供される形態に応じて、登録プロセスは、例えば、無線で（ＲＦ、超音波等を使用して）、光学的に、キーボードを使用して、マウスを使用して、タッチスクリーンを使用して、タッチパッドを使用して、カメラを使用して、マイクロホンを使用して等、１つ、２つ、又はそれ以上の異なるモードを通じてバンドルデータを得るように構成された構成要素の使用を含んでもよい。
【００８９】
医療バンドルが登録されると（１２）、本方法は、登録された医療バンドルが選択された患者に送達されるべきかどうかを判定する工程（１３）を更に含んでもよい。その判定は、選択された患者に関連する順序又は他の情報に基づいてなされ得る。換言すると、この患者は登録された医療バンドルを必要としているとして識別される、かつ／又は選択された患者への登録された医療バンドルの送達が適切であることが識別される。本明細書に記載のように、例えば、本明細書に記載の検証ユニット等を使用して局所レベルで、又はより大きなシステムにおいてそのような判定がなされてもよく、例えば、多数の場所における多数の患者への医療バンドルの送達を管理する制御装置を使用して、より中枢部で判定がなされてもよい。
【００９０】
登録された医療バンドルが選択された患者に送達されるべきかどうかについて判定（１３）がなされた後、本方法は、登録された医療バンドルが選択された患者に送達されるべきかどうかを判定した後で、検証ユニットを使用して登録フィードバック信号を提供する工程（１４）を更に含んでもよい。図２を参照すると、登録フィードバックは、例えば、登録された医療バンドルが選択された患者に送達されるべきである場合に、確認信号（２０）、及び登録された医療バンドルが選択された患者に送達されるべきでない場合に、是正信号（２１）、のうちの少なくとも１つの形態を取ってもよい。
【００９１】
本方法が、確認信号（２０）及び是正信号（２１）のうちの少なくとも１つを提供する工程を伴うという記載に関しては、いくつかの実施形態では、その方法はフィードバック信号のうちの１つのみを提供する工程を伴ってもよいことが理解されるべきである。例えば、本方法は、登録された医療バンドルが選択された患者に送達されるべきであると判定されるときに、確認信号（２０）のみを提供してもよく、一方で、登録された医療バンドルが選択された患者に送達されるべきでないと判定される場合に、登録フィードバック信号は送達されない。他の実施形態では、本方法は、登録された医療バンドルが選択された患者に送達されるべきでないと判定されるときに、是正信号（２１）のみを提供してもよく、一方で、登録された医療バンドルが選択された患者に送達されるべきであると判定される場合に、登録フィードバック信号は送達されない。
【００９２】
本明細書に記載のように、医療バンドルを送達する方法において提供されるフィードバック信号（それらが登録フィードバック信号であるか送達フィードバック信号であるかに関わらず）は、多くの異なる形態を取ってもよい。例えば、フィードバック信号は、可視の、可聴の、触覚の、又は人によって感知されることが可能な任意の他の形式で提供されてもよい。いくつかの方法では、フィードバック信号は複数の形式で提供されてもよく、例えば、可視信号及び可聴信号の双方が、通知をより確実にするために提供されてもよい。フィードバック信号は、本明細書に記載の検証ユニットから、又は検証が実行されている医療バンドルを送達する人によって感知されることが可能なフィードバック信号を提供するように設計された、任意の他の装置によって送達されてもよい。可視フィードバック信号の場合、フィードバック信号は、１つ以上の光、電子化されたデバイス上の映像等の形態であってもよい。可聴フィードバック信号の場合、フィードバック信号は、１つ以上の発信音、ビープ音、チャイム、声等の形態であってもよい。触覚フィードバック信号の場合、触覚信号は、振動、温度変化等の形態であってもよい。
【００９３】
場合によっては、フィードバック信号は、医療バンドルの送達の現場に存在するシステムの、任意の好適な構成要素（複数可）を使用して提供され得る警告として記載されてもよい。フィードバック信号（例えば、警告）を送達するために使用され得るいくつかの構成要素の例は、例えば、米国特許出願公開第２００８／０２４６５９９号（Ｈｕｆｔｏｎら）、米国特許第６，９７５，２３１号（Ｌａｎｅら）、同第６，８８２，２７８号（Ｗｉｎｉｎｇｓら）、同第６，７２７，８１８号（Ｗｉｌｄｍａｎら）、同第６，４２６，７０１号（Ｌｅｖｙら）、同第５，９５２，９２４号（Ｅｖａｎｓら）、同第５，２０２，６６６号（Ｋｎｉｐｐｓｃｈｅｅｒ）、同第４，８９６，１４４号（Ｂｏｇｓｔａｄ）等に見出され得る。
【００９４】
いくつかの実施形態では、不適切な医療バンドル送達に応じて送達されるフィードバック信号は、段階的であってもよい。換言すると、医療職員が治療現場で是正措置を取ることが可能なように、医療バンドルを送達する医療職員に登録フィードバックを発してもよい。別の段階として、場合によっては、フィードバック信号は監督者に（例えば、ナースステーションに等）送達されてもよい。更に別の段階では、フィードバック信号は、医療施設の品質保証担当者及び／又は経営者に送達されてもよい。より高い段階の警告は、蓄積されたコンプライアンスデータに基づいてもよく、すなわち、医療施設のあるセクションにおける１つ以上の医療バンドルの適切な送達に対するコンプライアンスのパーセンテージが下降し始めた場合、監督者、経営者、及び／又は品質担当者への警告は、より広範に是正措置の機会を提供し得る。
【００９５】
更に、フィードバック信号は動的であり得る、すなわち、選択された医療職員、医療職員のグループ等に対する適切な医療バンドル送達プロトコルのコンプライアンスが下降し始めた場合、本明細書に記載の方法、装置、及びシステムのいくつかの実施形態は、例えば、より緊急、重要等であり得る、異なる１組のフィードバック信号を提供してもよい。そのような動的フィードバック信号はまた、例えば、医療施設内の監督者、品質担当者、及び／又は経営者等、より幅広いグループへの送達のために構成されてもよい。
【００９６】
図１を再度参照すると、登録された医療バンドルを選択された患者に送達する方法はまた、登録された医療バンドルを選択された患者に送達する間に、送達データを収集する工程（１５）を含んでもよい。いくつかの実施形態では、収集される送達データは、登録された医療バンドルの送達に関連する音の形態である。登録された医療バンドルの送達の間に収集された音の送達データは、医療バンドルを送達する医療提供者によって話された言葉の形態であってもよく、かつ／又はそれらは、登録された医療バンドルの送達に関連する非音声の音の形態であってもよい。
【００９７】
登録された医療バンドルの送達の間に音が収集されるこれらの方法では、収集された音は、処理されて、登録された医療バンドルの送達の間に収集された音が、登録された医療バンドルの適切な送達に関連する１つ以上の選択されたオーディオ署名を含むかどうかを判定してもよい（１６）。医療バンドルの適切な送達に関連する選択されたオーディオ署名は、例えば、登録された医療バンドルの送達の間に話された、選択された音声パターン、及び／又は登録された医療バンドルの送達の間に収集された、選択された非音声パターンの形態であってもよい。
【００９８】
登録された医療バンドルの送達の間に収集された音が話し言葉の形態である場合、これらの言葉は、登録された医療バンドルの送達の間に取られた行動を示すために、医療バンドルを送達する人によって話されてもよい。例えば、これらの言葉は、医療バンドルに関連する品目の名称、及び／又は医療バンドルの送達の間に取られた行動を述べる言葉を含む。話し言葉の形態で収集された音データの処理は、選択された音声パターンが、登録された医療バンドルの適切な送達に関連するオーディオ署名の場合、言葉が、登録された医療バンドルの適切な送達に関連する、選択された音声パターンの形態であるかどうかを判定することを伴ってもよい。
【００９９】
登録された医療バンドルの送達の間に収集された音が、医療バンドルの送達に関連する非音声の音の形態である場合、これらの音は、例えば、ハンドサニタイジング溶液を分配するディスペンサの音、蛇口から流れる水の音、個人が手を洗浄する音、パッケージが開封される音、ベッド又は他の機器が調整される音等を含んでもよい。そのような状況では、医療バンドルの送達の間に収集された音データの処理は、選択された非音声パターンが、医療バンドルの適切な送達に関連するオーディオ署名である場合、収集された音が、登録された医療バンドルの適切な送達に関連する選択された非音声パターンの形態であるかどうかを判定することを含んでもよい。
【０１００】
図３を参照すると、本明細書に記載のように、登録された医療バンドルの適切な送達を検証する方法は、医療バンドルの送達の間に収集された音が、医療バンドルの適切な送達に関連する１つ以上の選択されたオーディオ署名を含むかどうかを判定（１６）した後で、送達フィードバック信号を提供する工程を含んでもよい。送達フィードバック信号は、音が登録された医療バンドルの適切な送達に関連する少なくとも１つの選択されたオーディオ署名を含まない場合に、是正信号（２３）、及び／又は音が登録された医療バンドルの適切な送達に関連する少なくとも１つの選択されたオーディオ署名を含む場合に、確認信号（２２）のうちの少なくとも１つを含んでもよい。
【０１０１】
本明細書に記載のように、医療バンドルを送達するいくつかの方法は、医療バンドルの適切な送達に関連する選択されたオーディオ署名の存否の判定に応じて、是正信号（２３）及び確認信号（２２）の双方の形態で送達フィードバック信号を提供する工程を含むが、他の実施形態では、これらの方法は、送達フィードバック信号のうちの１つのみの送達を伴ってもよい。
【０１０２】
例えば、本方法は、登録された医療バンドルの送達の間に収集された音が、医療バンドルの適切な送達に関連する選択されたオーディオ署名のうちの１つ以上を含むと判定されるときに、確認信号（２２）のみを提供してもよく、一方で、登録された医療バンドルの送達の間に収集された音が、登録された医療バンドルの適切な送達に関連する選択されたオーディオ署名のうちの１つ以上を含まないと判定される場合、送達フィードバック信号は送達されない。他の実施形態では、本方法は、登録された医療バンドルの送達の間に収集された音が、医療バンドルの適切な送達に関連する選択されたオーディオ署名のうちの１つ以上を含まないと判定されるときに、是正信号（２３）のみを提供してもよく、一方で、登録された医療バンドルの送達の間に収集された音が、登録された医療バンドルの適切な送達に関連する選択されたオーディオ署名のうちの１つ以上を含むと判定される場合、送達フィードバック信号は提供されない。
【０１０３】
確認信号（２２）及び是正信号（２３）の双方が、医療バンドルの送達を検証する方法の一環として送達されるこれらの方法では、２つの異なる送達フィードバック信号が送達される形態は、同一であっても異なっていてもよい。例えば、確認信号（２２）は、光の形態で又は他のより目立たない形態で提供されてもよく、一方で、是正信号（２３）は、医療バンドルの適切な送達に関連する選択されたオーディオ署名のうちの１つ以上が、登録された医療バンドルの送達の間に収集された音の一部として検出されなかったことを示すために、是正信号に使用され得る、例えば、ブザー、振動、光のうちの１つ以上等のより目立つ形態で提供されてもよい。
【０１０４】
いくつかの実施形態では、本明細書に記載のように、選択された患者への登録された医療バンドルの適切な送達を検証する方法はまた、登録された医療バンドルの送達の間に収集された音に見出される、選択されたオーディオ署名のうちの少なくとも１つを示すインジケータを格納する工程（１８）を含んでもよい。格納されたインジケータは、データの形態であってもよく、局部的なデバイス、すなわち、医療バンドルが送達されている場所（例えば、検証ユニット、又は本明細書に記載の他のデバイス等）に近接して格納されてもよいか、又は遠隔位置、例えば、そのようなインジケータを格納するための記憶装置を含む中央制御装置等に格納されてもよい。
【０１０５】
本明細書に記載のいくつかの方法では、例えば、登録された医療バンドルの特定の行動か、又は特定の構成要素の使用等、格納されたインジケータが、登録された医療バンドルの送達の選択された部分に関連するか、又はそれを示す方法とは対照的に、格納されたインジケータは、一般的に、登録された医療バンドルの適切な送達全体を示してもよい。格納されたインジケータが、医療バンドルの送達の選択された部分に関連するか、又はそれを示すこれらの方法において、本方法は、医療バンドルの送達の、全ての選択された部分に関連する、全てのインジケータを格納する工程を伴ってもよい。他の実施形態では、本方法は、医療バンドルの送達の選択された部分のいくつかに関連するインジケータのいくつかのみを格納する工程を伴ってもよい。例えば、送達されている登録された医療バンドルが、適切な送達プロセスの一環として手洗いを含む場合、本方法は、医療バンドルの送達の一環として手洗いが生じたことの指標として、石鹸が分配されたこと又は水が出されたことのインジケータのみを格納する工程を伴ってもよい。
【０１０６】
本明細書に記載のように、登録された医療バンドルの適切な送達を検証する方法についてのいくつかの実施形態では、格納されたインジケータは、登録された医療バンドルの適切な送達又は登録された医療バンドルの適切な送達の一部分を示すテキストデータの形態であってもよい。いくつかの方法では、格納されたテキストデータは、医療バンドルを送達する医療職員によって話された音声を転記してもよい。他の方法では、格納されたテキストデータは、医療バンドル送達プロセスに関連する特定業務に割り当てられるテキストデータであってもよい。例えば、選択されたオーディオ署名が医療バンドル送達プロセスの一環として手の洗浄に関連する場合、テキストデータは「手を洗った」という形態であってもよい。そのようなプロセスでは、登録された医療バンドルの送達の一環として格納されたテキストデータは、登録された医療バンドルの送達の間に収集された音で識別される、選択された音声パターンに由来していると記載されてもよい。
【０１０７】
選択されたオーディオ署名が、音が音声を含まない場合に、登録された医療バンドルの送達の間に収集された音の形態であるそれらの実施形態では、本方法は、収集された音中の選択された非音声パターンの識別を伴ってもよく、格納されたインジケータは、登録された医療バンドルの送達の間に収集された実際の音のうちの少なくとも一部分を含んでもよい。例えば、送達プロセスが、ハンドサニタイザーディスペンサを使用して手を消毒することを含み、作動されるそのディスペンサの音が医療バンドルの適切な送達に関連する場合、格納されたインジケータは、送達プロセスの一環として、医療職員によってディスペンサの作動の間に得られる実際のオーディオクリップを含んでもよい。医療バンドルの適切な送達に関連しているとして識別される、選択された非音声パターンに関連し得るオーディオクリップの他の例は、例えば、パッケージの開封に関連する音、機器の調整に関連する音（ベッドの調整等）等を含んでもよい。
【０１０８】
登録された医療バンドルの送達の間に収集された音中の選択されたオーディオ署名が、選択された非音声パターンを含む場合、格納されたインジケータは、医療バンドルの送達の間に収集された音で識別される、選択された非音声パターンに関連する代表的なサウンドクリップの形態であってもよい。例えば、代表的な音は、医療バンドル送達プロセスの一環として検出される実際の音に類似し得る、既存の一揃いのサウンドクリップから選択されてもよいが、代表的な音は医療バンドルの送達の間に収集された実際の音ではない。
【０１０９】
音が、登録された医療バンドルの適切な送達を検証するために使用されるそれらの実施形態では、本方法は、マイクロホン若しくは他のオーディオ収集デバイス、及びマイクロホンによって検出された音を処理するためのオーディオ信号処理装置を含む、検証ユニット（その実施形態は本明細書に記載される）を使用して実行されてもよい。いくつかの実施形態では、マイクロホン及びオーディオ信号処理装置は、登録された医療バンドルの送達の間に音を収集し、収集された音を処理して、音が、登録された医療バンドルの適切な送達に関連する選択されたオーディオ署名のうちの１つ以上を含むかどうかを判定するように構成される。検証ユニットが、医療バンドルの送達の間に音を収集することと、その音を処理して、選択されたオーディオ署名のうちの１つ以上を含むかどうかを判定することの双方に使用される方法は、音の「局部」処理が実行される方法として記載されてもよい。
【０１１０】
本明細書に記載の方法の他の実施形態では、マイクロホン及びオーディオ信号処理装置の双方を含む検証ユニットが、医療バンドルの送達の間に生じた音を収集するために使用されてもよい。しかしながら、検証ユニットのマイクロホン及びオーディオ信号処理装置は、医療バンドルの送達の間に収集された音を遠隔オーディオ信号処理装置に伝送するように構成されてもよい。遠隔オーディオ信号処理装置が、検証ユニットによって収集された音を処理して、音が、医療バンドルの適切な送達に関連する選択されたオーディオ署名のうちの１つ以上を含むかどうかを判定するように構成されてもよい。検証ユニットが音を収集することのみに使用される一方で、遠隔オーディオ信号処理装置が音を処理して、音が、選択されたオーディオ署名のうちの１つ以上を含むかどうかを判定するために使用される方法は、音の「遠隔」処理が実行される方法として記載されてもよい。
【０１１１】
本明細書に記載の方法のいくつかの実施形態では、補助オーディオ収集デバイスが、検証ユニットに関連して、又はその代わりに使用され、登録された医療バンドルの送達の間に生じた音を収集してもよい。そのような補助オーディオ収集デバイスは、検証ユニットと直接通信してもよく（本明細書の以下に記載のように）、又は補助オーディオデバイスは、ネットワーク中の他のデバイスと通信し、本明細書に記載の方法を実施するシステムに含まれるオーディオ信号処理装置によって処理するために、登録された医療バンドルの送達の間に収集された音を提供してもよい。いくつかの潜在的補助オーディオ収集デバイスの例としては、例えば、聴診器、携帯電話、及び他の記録デバイス等が挙げられ得る。
【０１１２】
選択されたオーディオ署名が医療バンドルの送達の間に収集される、本明細書に記載の方法のいくつかの実施形態では、選択されたオーディオ署名が、登録された医療バンドルの適切な送達に関連する１つ以上の選択された順序で生じるかどうかを判定することを含んでもよい。換言すると、医療バンドルの送達は、典型的に、医療バンドルの適切な送達が生じるように、特定の順序で実行されるべき特定の一連の工程を伴う。選択されたオーディオ署名が、適切な送達に関連する選択された順序のうちの１つでない順序で、医療バンドルの送達の間に収集される場合には、フィードバックは、医療バンドルの適切な送達に関連する使用者に提供されるべきでない。
【０１１３】
図４を参照すると、例えば、医療バンドルの送達の間に収集された音中の１つ以上の選択されたオーディオ署名が、２つの選択されたオーディオ署名を含む等のいくつかの実施形態では、本方法は、収集された音に見出される２つの選択されたオーディオ署名が、登録された医療バンドルの適切な送達に関連する選択された順序で生じたかどうかを判定する工程（２４）を含んでもよい。選択されたオーディオ署名が選択された順序で生じるかどうかに応じて判定がなされた後で、送達フィードバック信号が、医療バンドルを送達する人に提供されてもよい。その送達フィードバック信号は、例えば、検証ユニット又は医療バンドルを送達する人によって検出され得るフィードバック信号を提供することが可能な任意の他の装置等を使用して、提供されてもよい。
【０１１４】
本明細書に記載の方法の他の実施形態では、２つ又はそれ以上の選択されたオーディオ署名が、選択された期間内に収集されるかどうかに応じて判定がなされてもよい（選択された順序に加えて、又はその代わりに）。そのような実施形態では、２つ又はそれ以上の選択されたオーディオ署名が、選択された期間（例えば、５秒、１０秒等）内に生じる場合、選択されたオーディオ署名が、選択された期間内に収集された音で識別されたため、適切な医療バンドル送達プロトコルが遵守されたという判定がなされ得る。それ故に、確認信号が、医療職員又は他の人に、適切な医療バンドル送達プロトコルが遵守されたという指標として送達され得る。逆に言えば、選択されたオーディオ署名が選択された期間（例えば、５秒、１０秒等）内に生じなかった場合、適切な医療バンドル送達プロトコルが遵守されなかったという判定がなされ得る。それ故に、是正信号が、医療職員又は他の人に、適切な医療バンドル送達プロトコルが遵守されなかったという指標として送達され得る。
【０１１５】
例えば、２つの選択されたオーディオ署名が、登録された医療バンドルの適切な送達に関連する、選択された順序で及び／又は選択された期間内に生じる場合、本明細書に記載の方法に提供される送達フィードバック信号は、確認信号（２５）を含んでもよい。確認信号は、好ましくは、工程の適切な順序が送達プロセスにおいて実行されたことを、医療バンドルを送達する人に確かめてもよい。医療バンドルの送達の間に収集された音中に検出される２つの選択されたオーディオ署名が、登録された医療バンドルの適切な送達に関連する選択された順序で及び／又は選択された期間内に生じない場合、本明細書に記載の方法に提供される送達フィードバック信号はまた、是正信号（２６）を含んでもよい。是正信号は、好ましくは、適切に送達されていない医療バンドルを送達する人に指標を提供することが可能であり、いくつかの実施形態では、後続工程を継続する前に、彼らに医療バンドルの送達においてなされた任意の間違いを是正する能力を提供してもよい。
【０１１６】
本明細書に記載のように、医療バンドルを送達するいくつかの方法は、医療バンドルの適切な送達に関する判定に応じて、確認信号（２５）及び是正信号（２６）の双方の形態で、送達フィードバック信号を提供する工程を含んでもよいが、本明細書に記載のように、医療バンドルの適切な送達を検証するいくつかの方法は、送達フィードバック信号のうちの１つのみの送達を伴ってもよい。
【０１１７】
例えば、いくつかの実施形態では、本方法は、医療バンドルが適切に送達されたと判定されたときに、確認信号（２５）のみを提供してもよく、一方で、医療バンドルが適切に送達されなかったと判定された場合、送達フィードバック信号は提供されない。他の実施形態では、本方法は、医療バンドルが適切に送達されなかったと判定されたときに、是正信号（２６）のみを提供してもよく（したがって、送達を実行する人に間違いがなされたという指標を提供する）、一方で、医療バンドルが適切に送達されたと判定された場合、送達フィードバック信号は提供されない。
【０１１８】
確認信号（２５）及び是正信号（２６）の双方が本方法の一環として提供されるこれらの方法では、送達フィードバック信号の形態は同一であっても異なってもよい。例えば、確認信号（２５）は、光の形態で又は他の比較的より目立たない形態で提供されてもよく、一方で、是正信号（２６）は、例えば、ブザー、振動、光のうちの１つ以上等より目立つ形態で提供されてもよく、医療バンドルが適切に送達されなかったことを示すために使用されてもよい。
【０１１９】
２つ以上の選択されたオーディオ署名が、１つ以上の選択された順序で及び／又は選択された期間内に生じるかどうかに応じて判定がなされる場合、２つ以上の選択されたオーディオ署名は、選択されたオーディオ署名の任意の多様な組み合わせを含んでもよい。例えば、選択されたオーディオ署名は、医療バンドルの適切な送達に関連する２つ以上の選択された音声パターン、医療バンドルの適切な送達に関連する２つ以上の選択された非音声パターン、及び１つ以上の選択された音声パターンと、１つ以上の選択された非音声パターンとの任意の組み合わせ等の形態であってもよい。
【０１２０】
例えば、医療バンドルの送達の間に収集された音で識別される、選択された音声パターン及び選択された非音声パターンが、例えば、医療バンドルを送達する人による、彼らは「手を洗っている」という陳述等の形態、及び選択された非音声パターンが、蛇口から流れる水に関連する音の形態である場合、これらの２つのオーディオ署名の選択された順序が、蛇口から流れる水に関連する音が収集される前に、「手を洗っている」という陳述が生じることを要件とすることが好ましいだろう。選択された非音声パターン及び選択された音声パターンが選択された順序で生じない場合に、是正信号（２６）が提供され得る。あるいは、選択された非音声パターン及び選択された音声パターンが選択された順序で生じる場合、確認信号（２５）が提供され得る。本明細書に記載されるように、いくつかの実施形態では、確認信号（２５）及び是正信号（２６）の双方が提供されてもよいが、一方で、他の実施形態では、確認信号（２５）及び是正信号（２６）のうちのどちらか一方のみが提供されてもよい。
【０１２１】
図５を参照すると、登録された医療バンドルの適切な送達を検証するいくつかの方法は、医療バンドルの送達の間に１つ以上の画像の収集を伴ってもよい（３１）。１つ以上の画像は、目立たない画像として提供されてもよく、又はリアルタイムで、若しくはほぼリアルタイムで蓄積される動画として提供され得る。動画の収集を含む方法の実施形態では、画像はオーディオと併用されても、されなくてもよい。画像の収集は、登録された医療バンドルを選択された患者に送達する間に、送達データを収集することとして記載されてもよい。登録された医療バンドルの送達の間に収集された１つ以上の画像に基づいて判定がなされ、１つ以上の画像が、登録された医療バンドルの適切な送達に関連する１つ以上の選択された対象を含むかどうかを判定してもよい（３２）。例えば、医療バンドルの送達の間に収集された画像中の対象が、医療バンドルの一部として使用されるキットの１つ以上の構成要素の形状である形態であってもよい。その構成要素の得られた画像は、収集された画像で識別され、その構成要素に関連し得る対象を含むことが予期される。
【０１２２】
それらの画像中の画像及び選択された対象が、医療バンドルの送達を検証するために使用される方法のいくつかの実施形態は、画像が、医療バンドルの適切な送達に関連する選択された対象のうちの１つ以上を含むかどうかを判定した後で、送達フィードバック信号を提供する工程を含んでもよい（３３）。更にまた、選択された患者への医療バンドルの適切な送達を検証する方法についてのいくつかの実施形態は、医療バンドルの送達の間に収集された１つ以上の画像に見出される、任意の選択された対象のうちの１つ以上を示すインジケータを格納する工程を含んでもよい（３４）。
【０１２３】
本明細書に記載の方法のいくつかの実施形態では、例えば、医療バンドルの特定の行動か、又は特定の構成要素の使用等、格納されたインジケータ（複数可）が、医療バンドルの送達の、選択された部分に関連するか、又はそれを示す方法とは対照的に、格納されたインジケータは、一般的に、登録された医療バンドルの適切な送達全体を示してもよい。格納されたインジケータが、医療バンドルの送達の選択された部分に関連するか、又はそれを示すこれらの方法において、本方法は、医療バンドルの送達の、全ての選択された部分に関連する、全てのインジケータを格納する工程を伴ってもよい。他の実施形態では、本方法は、医療バンドルの送達の選択された部分のいくつかに関連するインジケータのいくつかのみを格納する工程を伴ってもよい。例えば、送達されている登録された医療バンドルが、適切な送達プロセスの一環として手洗いを含む場合、本方法は、医療バンドルの送達の間に収集された画像のうちの１つ以上でそのようなディスペンサに関連する対象を識別することによって判定され得るように、監視されている医療職員又は他の人が、ハンドサニタイジング溶液のディスペンサのそばに居たというインジケータのみを格納する工程を伴ってもよい。
【０１２４】
本明細書に記載のように、登録された医療バンドルの適切な送達を検証する方法についてのいくつかの実施形態では、格納されたインジケータは、登録された医療バンドルの適切な送達、又は登録された医療バンドルの適切な送達の一部分を示すテキストデータの形態であってもよい。画像が検証プロセスの一環として使用される方法では、格納されたテキストデータは、医療バンドルの送達の間に収集された画像中の選択された対象のうちの１つ以上の識別に基づいてもよい。例えば、選択された対象がハンドサニタイジング溶液のディスペンサに関連する場合、その選択された対象が、医療バンドルの送達の間に収集された１つ以上の画像に見出されるときに、テキストデータは「手を消毒した」の形態であってもよい。
【０１２５】
医療バンドルの送達の間に収集された画像中の選択された対象の識別が、医療バンドルの適切な送達を検証するために使用されるこれらの方法では、格納されたインジケータは、収集された画像で識別される、選択された対象を含む実際の画像、又は実際の画像の少なくとも一部分の形態であってもよい。他の実施形態では、格納されたインジケータは、医療バンドルの送達の間に収集された１つ以上の実際の画像中の選択された対象の識別に基づいて選択される、代表的な対象又は画像の形態であってもよい。
【０１２６】
図６を参照すると、本明細書に記載のように、登録された医療バンドルの適切な送達を検証する方法は、収集された画像のうちの１つ以上が、医療バンドルの適切な送達に関連する選択された対象のうちの１つ以上を含むかどうかを判定（３２）した後で、送達フィードバック信号を提供する工程を含んでもよい。送達フィードバック信号は、画像が医療バンドルの適切な送達に関連する選択された対象のうちの少なくとも１つを含む場合に、確認信号（３５）を、及び／又は画像が医療バンドルの適切な送達に関連する選択された対象のうちの少なくとも１つを含まない場合に、是正信号（３６）を含んでもよい。
【０１２７】
音及び選択されたオーディオ署名が、医療バンドルの適切な送達を検証するために使用されるこれらの方法に関連して、上述のとおり同一の様式で、それらの画像中の画像及び選択された対象を使用して、医療バンドルの適切な送達を検証する方法は、確認信号（３５）及び是正信号（３６）のうちの１つか、又は双方の送達を伴ってもよい。例えば、本方法は、医療バンドルの送達の間に収集された画像が、選択された対象のうちの１つ以上を含むと判定されるときに、確認信号（３５）のみを提供する工程を含んでもよく、一方で、医療バンドルの送達の間に収集された画像が、医療バンドルの適切な送達に関連する選択された対象のうちの１つ以上を含まないと判定される場合、送達フィードバック信号は送達されない。他の実施形態では、本方法は、医療バンドルの送達の間に収集された画像が、選択された対象のうちの１つ以上を含まないと判定されるときに、是正信号（３６）のみを提供してもよく、一方で、医療バンドルの送達の間に収集された画像が、医療バンドルの適切な送達に関連する選択された対象のうちの１つ以上を含むと判定される場合、送達フィードバック信号は提供されない。
【０１２８】
図７を参照すると、医療バンドルの送達の間に収集された画像に見出される、選択されたオーディオ署名及び選択された対象の双方が、医療バンドルの適切な送達を検証するために使用される、本明細書に記載の方法のいくつかの実施形態では、選択された対象に含まれる選択されたオーディオ署名及び画像が、医療バンドルの適切な送達に関連する選択された順序で収集されたかどうかに応じて判定がなされてもよい（３７）。選択されたオーディオ署名は、選択された音声パターンか、又は選択された非音声パターンの形態であってもよい。また他の実施形態は、選択されたオーディオ署名及び選択された対象が、選択された期間内に得られたかどうかに基づいて、医療バンドルの適切な送達に関して判定することを含んでもよい。
【０１２９】
選択された対象を含む選択されたオーディオ署名及び画像が、適切な送達に関連する選択された順序で収集されたそのような事例では、確認信号は、選択された順序が遵守されたことを示すように提供され得る（３８）。選択された対象を含む選択されたオーディオ署名及び画像が、適切な送達に関連する選択された順序で収集されなかったそのような事例では、是正信号は、選択された順序が遵守されなかったことを示すように提供され得る（３９）。
【０１３０】
例えば、手洗いの筋書きでは、選択されたオーディオ署名は、選択された音声パターン、例えば、話し言葉「手を洗った」等の形態であってもよく、一方で、医療バンドルの送達の間に収集された画像で識別される、選択された対象は、ソープディスペンサ、流し、ハンドサニタイザーディスペンサ等の形態であってもよい。そのような状況では、選択された対象（例えば、ソープディスペンサ等）が、選択された音声パターン（例えば、話し言葉「手を洗った」等）の前に収集された画像（動画を含む）に見出された場合、話し言葉は、個人がソープディスペンサのところに存在する前に、その人が手を洗ったことを示したため、適切な手洗いプロトコルに関連する選択された順序が遵守されなかったという判定がなされ得る。それ故に、是正信号（３９）は、適切な手洗いプロトコルが遵守されなかったという指標として、医療職員又は他の人に送達され得る。
【０１３１】
手洗いの筋書きの別の実施例では、医療バンドルの送達の間に収集された音で識別される、選択されたオーディオ署名は、選択された音声パターン、例えば、話し言葉「手を洗った」等の形態であってもよく、一方で、ソープディスペンサ、流し、ハンドサニタイザーディスペンサ等の形態の選択された対象は、医療バンドルの送達の間に収集された任意の画像で識別されなくてもよい。そのような状況では、話し言葉は、その人が手を洗ったことを示したが、収集された画像は、選択されたオーディオ署名に対応する任意の選択された対象を含まないため、適切な手洗いプロトコルが遵守されなかったという判定がなされ得る。それ故に、是正信号（３９）は、適切な手洗いプロトコルが遵守されなかったという指標として、医療職員又は他の人に送達され得る。
【０１３２】
手洗いの筋書きの別の実施例では、医療バンドルの送達の間に収集された音で識別される、選択されたオーディオ署名は、選択された音声パターン、例えば、話し言葉「手を洗った」等の形態であってもよく、一方で、医療バンドルの送達の間に収集された画像で識別される、選択された対象は、ソープディスペンサ、流し、ハンドサニタイザーディスペンサ等の形態であってもよい。そのような状況では、選択された対象（すなわち、ソープディスペンサ）が、選択された音声パターン（すなわち、話し言葉「手を洗った」）の前及び／又はその後で、選択された期間（例えば、５秒、１０秒等）外に収集された画像に見出された場合、話し言葉及び選択された対象は、過度に長い時間をかけて収集されたため、適切な手洗いプロトコルに関連する選択された順序が遵守されなかったという判定がなされ得る。それ故に、是正信号（３９）は、適切な手洗いプロトコルが遵守されなかったという指標として、医療職員又は他の人に送達され得る。逆に言えば、選択された対象（例えば、ソープディスペンサ）が、選択された音声パターン（すなわち、話し言葉「手を洗った」）の前及び／又はその後に、選択された期間（例えば、５秒、１０秒等）内に収集された画像に見出された場合、話し言葉及び選択された対象が選択された期間内に収集されたため、適切な手洗いプロトコルに関連する選択された順序が遵守されたという判定がなされ得る。それ故に、確認信号（３８）が、適切な手洗いプロトコルが遵守されなかったという指標として、医療職員又は他の人に送達され得る。
【０１３３】
手洗いの筋書きの別の実施例では、選択されたオーディオ署名は、選択された非音声パターン、例えば、シンク内に流れる水の音等の形態であってもよい。医療バンドルの送達の間に収集された画像で識別される、選択された対象は、例えば、ソープディスペンサ等の形態であってもよい。そのような状況では、選択された対象（すなわち、ソープディスペンサ）が、選択された非音声パターン（すなわち、流水の音）の前に、収集された画像に見出された場合、シンク内に水が流れる前に、ソープディスペンサの形態で選択された対象を含む画像が収集されたため、適切な手洗いプロトコルに関連する選択された順序が遵守されたという判定がなされ得る。それ故に、確認信号（３８）が、適切な手洗いプロトコルが遵守されたという指標として、医療職員又は他の人に送達され得る。
【０１３４】
図８を参照すると、選択された患者に医療バンドルの適切な送達を確認する別の方法の代替的な例示的実施形態が示されている。図８に関連して示される方法は、図１に示された方法に関連して上述されるような多数の同一工程を含む。選択された患者への送達のための医療バンドルの登録（４２）、登録された医療バンドルの送達の間に音を収集する工程（４５）、登録された医療バンドルの送達の間に収集された音が、医療バンドルの適切な送達に関連する選択されたオーディオ署名を含むかどうかを判定する工程（４６）、音が医療バンドルの適切な送達に関連する選択されたオーディオ署名のうちの１つ以上を含むかどうかを判定した後で、送達フィードバック信号を提供する工程（４７）、及び医療バンドルの送達の間に収集された音に見出される、選択されたオーディオ署名のうちの１つ以上を示すインジケータを格納する工程（４８）が、図１及び図８に示される２つの異なる方法における工程の間で共有される。
【０１３５】
図８に関連して示されるように、登録された医療バンドルの適切な送達を検証する方法は、患者に送達される医療バンドルに関連する選択された情報を公開する工程を含む。公開する工程は、多様な異なる形態を取ってもよく、例えば、公開する工程は、公開装置のところに、又はその近くに位置する人が公開される情報を知覚できるように、選択された情報の可視及び／又は可聴通信を含んでもよい。多くの場合において、その人は、医療バンドルを患者に送達するためにそこに居る医療職員であろう。公開プロセスの一環として公開される情報は、好ましくは、登録された医療バンドルを選択された患者に送達することに関する、少なくとも１つの指示を含み得る。例として、公開は、例えば、医療職員の手が消毒される前にパッケージが開封されるべきであること、医療バンドル送達プロセスの一環として、患者のベッドを上げる又は下げるべきであること等、特定の工程が実行され得る適切な順序についての指示を提供してもよい。
【０１３６】
公開プロセスの一環として送達される選択された情報は、医療バンドルの適切な送達を検証するプロセスの一環として使用される検証ユニットに提供されてもよく、又は他の方法では、選択された情報は、医療バンドルが選択された患者への送達のために登録された後で、検証ユニットに送達されてもよい。そのようなプロセスでは、選択された情報は、中枢部に格納されてもよく、そこから、医療バンドルの登録後、又はその間に、検証ユニットへ伝送される。
【０１３７】
いくつかの実施形態では、公開される選択された情報は、医療バンドル自体の一部を形成するバンドルクレデンシャルから得られてもよい。他の実施形態では、公開される選択された情報は、検証ユニット上又はその中のメモリ常駐から得られてもよい。また他の実施形態では、公開される選択された情報は、上述のように中枢部から得られてもよく、選択された情報は、例えば、医療バンドルの登録プロセス等の一環として、例えば、検証ユニット等に伝送される。
【０１３８】
図９を参照すると、選択された患者への医療バンドルの適切な送達を検証する別の方法の別の代替的な例示的実施形態が示されている。図９に関連して示される方法は、図１に示される方法に関連して上述されるように、多数の同一工程を含む。選択された患者への送達のための医療バンドルの登録（５２）、登録された医療バンドルが選択された患者に送達されるべきかどうかを判定する工程（５３）、及び登録された医療バンドルが選択された患者に送達されるべきかどうかを判定した後で、登録フィードバック信号を提供する工程（５４）が、図１及び９に示される２つの異なる方法における工程の間で共有される。
【０１３９】
図１に示される方法は、音及び選択されたオーディオ署名を使用して医療バンドルの適切な送達を検証することに焦点を当てるが、図９に示される方法は、それらの画像が医療バンドルの適切な送達に関連する選択された対象を含むかどうかを判定するために、画像の収集及び処理に頼る。結果として、図９に示される方法は、登録された医療バンドルの送達の間に１つ以上の画像（例えば、それらの動画編集物として等）の収集（５５）を伴う。図９に示される方法はまた、登録された医療バンドルの送達の間に収集された画像が、バンドルの適切な送達に関連する選択された対象を含むかどうかを判定する工程（５６）、登録された医療バンドルの送達の間に収集された画像が、適切な送達に関連する選択された対象のうちの１つ以上を含むかどうかを判定した後で、１つ以上の送達フィードバック信号を提供する工程（５７）、及び登録された医療バンドルの送達の間に収集された画像に見出される、１つ以上の選択された対象を示す１つ以上のインジケータを格納する工程（５８）を含む。多くの点で、画像収集処理及び送達フィードバック信号、並びにインジケータの格納工程は、図５に示される画像収集及び処理に関連して、全て上述される。
【０１４０】
画像中の画像及び選択された対象が、医療バンドルの適切な送達を検証するために使用されるそれらの実施形態では、本方法は、カメラ（例えば、ディジタル、フィルム、又はビデオカメラ等であり得る）及びカメラを使用して収集された画像を処理するための画像処理装置を含む、検証ユニットを使用して実行されてもよい（その例示的実施形態は、本明細書に記載される）。カメラ及び画像処理装置は、好ましくは、医療バンドルの送達の間に画像を収集し、画像を処理して、画像が医療バンドルの適切な送達に関連する選択された対象のうちの１つ以上を含むかどうかを判定するように構成され得る。検証ユニット自体が、医療バンドルの送達の間に画像を収集することと、それらの画像を処理して、それらが選択された対象のうちの１つ以上を含むかどうかを判定することの双方のために使用される方法は、画像の「局部」処理が実行される方法として記載されてもよい。
【０１４１】
本明細書に記載の方法の他の実施形態では、カメラ及び画像処理装置の双方を含む検証ユニットは、医療バンドルの送達の間に画像を収集するために使用されてもよい。しかしながら、検証ユニットのカメラ及び画像処理装置は、医療バンドルの送達の間に収集された画像を遠隔画像処理装置に伝送するように構成されてもよい。遠隔画像処理装置は、検証ユニットによって収集された画像を処理して、画像が医療バンドルの適切な送達に関連する選択された対象のうちの１つ以上を含むかどうかを判定するように構成されてもよい。検証ユニットが、画像を収集するためだけに使用され、一方で、遠隔画像処理装置が画像を処理して、それらの画像が選択された対象のうちの１つ以上を含むかどうかを判定するために使用される方法は、画像の「遠隔」処理が実行される方法として記載されてもよい。
【０１４２】
本明細書に記載の方法のいくつかの実施形態では、補助画像収集デバイスが、検証ユニットとともに、又はその代わりに使用され、医療バンドルの送達の間に画像を収集してもよい。そのような補助画像収集デバイスは、検証ユニットと直接通信してもよく（本明細書に記載のように）、又は補助画像収集デバイスはネットワーク中の他のデバイスと通信し、本明細書に記載の方法を実施するために使用されるシステムに含まれる画像処理装置によって処理するために、医療バンドルの送達の間に補助画像収集デバイスによって収集される画像を提供してもよい。いくつかの潜在的補助画像収集デバイスの例としては、例えば、超音波撮像デバイス、撮像耳鏡、バーコードスキャナー、携帯電話、及び他の画像収集デバイス等が挙げられ得る。
【０１４３】
図１０を参照すると、本明細書に記載のように、登録された医療バンドルの適切な送達を検証する方法は、選択された対象を含む画像が、登録された医療バンドルの適切な送達に関連する１つ以上の選択された順序で収集されたかどうかを判定する工程を含んでもよい。換言すると、医療バンドルの送達は、典型的に、医療バンドルの適切な送達が生じるように、１つ以上の特定の順序で実行されるべき特定の一連の工程を伴う。選択された対象を含む画像が、適切な送達に関連する選択された順序のうちの１つでない順序で収集される場合、システムは、医療バンドルの適切な送達に関連するフィードバック、及び／又は適切な順序で医療バンドルを送達できなかったことを警告するフィードバックを使用者に提供するべきでない。
【０１４４】
図１０は、医療バンドルの送達の間に収集された２つの画像が、登録された医療バンドルの適切な送達に関連する選択された対象を含む、１つの例示的方法を示す。本方法は、２つの画像が医療バンドルの適切な送達に関連する選択された順序で収集されたかどうかを判定する工程（５９）を更に含む。画像が選択された順序で収集されたかどうかに応じて判定がなされた後で、送達フィードバック信号が、医療バンドルを送達する人に提供されてもよい。その送達フィードバック信号は、例えば、検証ユニット、又は医療バンドルを送達する人によって検出され得るフィードバック信号を送達することが可能な任意の他の装置等を使用して提供されてもよい。
【０１４５】
図１０に関連して記載される方法に提供される送達フィードバック信号は、選択された対象を含む２つの画像が登録された医療バンドルの適切な送達に関連する選択された順序で収集された場合に、確認信号（６０）を含む。本明細書に記載のように、確認信号は、医療バンドルを送達する人に、選択された対象を含む画像が選択された順序で収集されたという判定に基づき、工程の適切な順序が送達プロセスにおいて実行されたことを確認するだろう。図１０に関連して記載される方法に提供される送達フィードバック信号はまた、選択された対象を含む２つの画像が登録された医療バンドルの適切な送達に関連する選択された順序で収集されなかった場合に、是正信号（６１）を含んでもよい。是正信号は、好ましくは、工程の適切な順序が送達プロセスにおいて実行されなかったという指標を、医療バンドルを送達する人に提供し、いくつかの実施形態では、後続工程を継続する前に、彼らに医療バンドルの送達においてなされた任意の間違いを是正する能力を提供してもよい。
【０１４６】
本明細書に記載の方法の他の実施形態では、２つ以上の選択された対象が選択された期間内に収集される画像に見出されるかどうかに応じて判定がなされてもよい（選択された順序に加えて、又はその代わりに）。そのような実施形態では、２つ以上の選択された対象が選択された期間（例えば、５秒、１０秒等）内に収集される画像に見出される場合、選択された対象が選択された期間内に得られた画像で識別されたため、適切な医療バンドル送達プロトコルが遵守されたという判定がなされ得る。それ故に、確認信号が、医療職員又は他の人に、適切な医療バンドル送達プロトコルが遵守されたという指標として送達され得る。逆に言えば、選択された対象が選択された期間（例えば、５秒、１０秒等）内に得られた画像に見出されなかった場合、適切な医療バンドル送達プロトコルが遵守されなかったという判定がなされ得る。それ故に、是正信号が、医療職員又は他の人に、適切な医療バンドル送達プロトコルが遵守されなかったという指標として送達され得る。
【０１４７】
本明細書に記載のように、医療バンドルの適切な送達を検証するいくつかの方法は、送達プロセスの適切な順序に関してなされた判定に応じて、確認信号（６０）及び是正信号（６１）の双方の形態で送達フィードバック信号を提供する工程を含んでもよいが、本明細書に記載のように、医療バンドルの適切な送達を検証するいくつかの方法は、送達フィードバック信号のうちの１つのみの送達を伴ってもよい。換言すると、画像が選択された順序で及び／又は選択された期間内に収集されたかどうかに応じてなされた判定により、確認信号（６０）及び是正信号（６１）のうちの１つ又は双方が、本明細書に記載の方法のいくつかの実施形態の一部として提供されてもよい。
【０１４８】
図１１を参照すると、医療バンドルの適切な送達を検証する別の方法の別の代替的な例示的実施形態が示されている。図１１に関連して示される方法は、図９に示される方法に関連して上述されるような多数の同一工程を含む。選択された患者への送達のための医療バンドルの登録（７２）、登録された医療バンドルの送達の間に１つ以上の画像を収集する工程（７５）、登録された医療バンドルの送達の間に収集された画像が、医療バンドルの適切な送達に関連する１つ以上の選択された対象を含むかどうかを判定する工程（７６）、画像が適切な送達に関連する１つ以上の選択された対象を含むかどうかを判定した後で、送達フィードバック信号を提供する工程（７７）、及び医療バンドルの送達の間に収集された画像に見出される、選択された対象を示すインジケータを格納する工程（７８）が、図９及び図１１に示される異なる方法における工程の間で共有される。
【０１４９】
図９に示されるように、医療バンドルの適切な送達を検証する方法は、登録された医療バンドルが選択された患者に送達されるべきかどうかを判定する工程を伴う工程を含むが、図１１に示される方法は、図８の方法に関連して記載されるように、登録された医療バンドルに関連する選択された情報を公開する工程を含む。
【０１５０】
図１、図８、図９、及び図１１に示される方法についての様々な実施形態は、登録された医療バンドルが選択された患者に送達されるべきであると判定がなされる登録プロセス（図１及び図９参照）か、又は登録された医療バンドルに関連する選択された情報が公開され、その情報を医療職員に送達する公開プロセス（図８及び図１１参照）のいずれかを含むものとして記載される。医療バンドルの適切な送達を検証する本明細書に記載の方法のいくつかの実施形態では、これらの特徴の双方、すなわち、図１及び図９に関連して記載されるように、登録された医療バンドルが選択された患者に送達されるべきであると判定する工程、並びに図８及び図１１に関連して記載されるように、登録された医療バンドルに関連する選択された情報を公開する工程を含んでもよいということが理解されるべきである。更に、医療バンドルの適切な送達を検証するいくつかの方法は、それらのプロセスのいずれも含まなくてもよいということも理解されるべきであり、すなわち、これらの方法は、登録された医療バンドルが選択された患者に送達されるべきであると判定する工程か、又は登録された医療バンドルに関連する、任意の選択された情報の公開を伴わなくてもよい。換言すると、本明細書に記載の方法のそれらの部分は、任意に考慮されるべきである。
【０１５１】
本明細書に記載されるように、患者への医療バンドルの適切な送達を検証する様々な方法は、検証ユニットを使用して実行されてもよい。本明細書に記載の方法に関連して使用される検証ユニットは、多様な異なる構成要素を含んでもよい。検証ユニットの１つの例示的実施形態は、図１２に概略的に示される。
【０１５２】
図１２に示されるように、検証ユニット１００は、送達データ収集装置１０１、送達データ処理装置１０２、フィードバック信号装置１０３、登録装置１０４、及び公開装置１０５を含んでもよい。制御装置１０６、記憶装置１０７、及び通信装置１０８はまた、図１２の略図中に示される。
【０１５３】
検証ユニット１００は、多様な異なる形態で提供されてもよい。例えば、いくつかの実施形態では、検証ユニット１００は、医療職員又は他の人のバッジとしての役割も果たすデバイス中に具現化されてもよい。本明細書で使用するとき、用語「医療職員」は、専門の介護者（例えば、看護師、准看護師、医師、医師助手等）である人々を指してもよい。例えば、他の個人が、本明細書に記載の医療バンドルの送達に関連する場合（例えば、親類、友人等）、彼らはまた、バッジに関連してもよい。それらの個人は、彼らが医療バンドルを送達している場合がある、例えば、在宅医療現場、ホスピス施設等の医療職員の立場であってもよい。
【０１５４】
バッジに加えて、又はその代わりに、検証ユニット１００は、本明細書に記載の検証ユニットの機能を提供することが可能な多数の異なる形式で提供されてもよい。例えば、検証ユニットは、選択された人（例えば、患者又は医療職員）が持ち運ぶことが可能なデバイスであるか、又はそうでなければその人に取り付けられるデバイスか、あるいは内部又は上部に患者が位置される機器の一部（例えば、車椅子、ベッド等）の形態で提供されてもよい。例えば、検証ユニット１００は、携帯電話、携帯情報端末（ＰＤＡ）、タブレットコンピュータ等に類似する形式で提供されてもよい。いくつかの実施形態では、検証ユニット１００は、検証ユニットが患者と一緒に動かないように、医療施設内の固定された場所に位置付けられる据え付け型のデバイスであってもよい。本明細書に記述されるシステム及び方法の更に別の実施形態では、いくつかの検証ユニットは可動型デバイスであってもよく、一方で他のものは据え付け型であってもよい。
【０１５５】
検証ユニット１００では、送達データ収集装置１０１及び送達データ処理装置１０２は、音又は画像のうちの１つ又は双方を収集し、音又は画像を処理して本明細書に記載の選択された対象に対する選択されたオーディオ署名を識別するように構成されてもよい。例えば、送達データ収集装置１０１が医療バンドルの送達の間に音を収集するように構成される場合、送達データ収集装置は、マイクロホン又は他のオーディオ収集デバイスの形態であってもよい。送達データ収集装置１０１が、医療バンドルの送達の間に画像を収集するように構成される場合、送達データ収集装置は、カメラ又は他の画像収集デバイスの形態であってもよい。
【０１５６】
音又は画像の遠隔処理が実行されることになっているそれらの実施形態では、通信装置１０８は、本明細書に記載のように、音及び／又は画像を処理するように構成された遠隔送達データ処理装置に音又は画像を伝送するために使用されてもよい。通信装置１０８は、好ましくは、本明細書に記載の方法を実施するのに好適な任意の通信プロトコルを使用して、データを伝送すること及び／又は受信することが可能である。例えば、通信装置は、無線通信装置の形態であってもよく、又は他の実施形態では、通信装置は、データを伝送する及び／又は受信するために有線接続を要件とするデバイスの形態であってもよい。
【０１５７】
検証ユニット１００の一部として提供されるフィードバック信号装置１０３は、任意の好適な形態、例えば、可視の、可聴の、触覚の等で、医療バンドルの適切な送達を検証する方法に関連して、本明細書に記載のフィードバック信号を送達するように構成されてもよい。それらの警告を送達するために使用されるいくつかの警告及び機器の例には、例えば、米国特許出願公開第２００８／０２４６５９９号（Ｈｕｆｔｏｎら）、米国特許第６，９７５，２３１号（Ｌａｎｅら）、同第６，８８２，２７８号（Ｗｉｎｉｎｇｓら）、同第６，７２７，８１８号（Ｗｉｌｄｍａｎら）、同第６，４２６，７０１号（Ｌｅｖｙら）、同第５，９５２，９２４号（Ｅｖａｎｓら）、同第５，２０２，６６６号（Ｋｎｉｐｐｓｃｈｅｅｒ）、同第４，８９６，１４４号（Ｂｏｇｓｔａｄ）等に見出され得る。また他の実施形態では、フィードバック信号は、本明細書に記載の検証ユニットの一部でないデバイス及び装置を使用して提供され得る。
【０１５８】
検証ユニット１００の一部として提供される登録装置１０４は、本明細書に記載のように、選択された患者への送達のために医療バンドルを登録するように構成されてもよい。プロセスを実行するように構成されたその登録プロセス及び登録装置１０４は、選択された患者に送達される医療バンドルを識別することが可能な情報を得るように構成された構成要素の任意の組み合わせを伴ってもよい。例えば、登録装置１０４は、１つ、２つ、又はそれ以上の異なるモードを通じて、例えば、無線で（ＲＦ、超音波等を使用して）、光学的に（カメラ又は他の光学データ収集デバイスを使用して）、データ入力を通じて（例えば、キーボード、マウス、タッチスクリーン、タッチパッド等を使用して）、本明細書に記載のように音の使用を通じて（例えば、マイクロホン又は他のオーディオ収集デバイス等を使用して）、及び／又は本明細書に記載のように画像を通じて等、医療バンドルに関連する識別情報を得るように構成されてもよい。
【０１５９】
検証ユニット１００に関連して提供され得る公開装置１０５は、好ましくは、人によって知覚され得る情報を公開することが可能な、多様な異なる形態を取ってもよい。公開装置１０５の一部として使用され得る、いくつかの潜在的に好適なデバイスの例としては、ビジュアルディスプレイデバイス及び／又はオーディオデバイスが挙げられ得る。いくつかの潜在的に好適なビジュアルディスプレイデバイスの例としては、液晶ディスプレイ、並びにアナログ及び／又はディジタル画像を表示するのに適合される他の機械、プリンター、印刷されたチェックリストとともに使用するように設計されたバックリットディスプレイ等が挙げられ得るが、それらに限定されない。公開装置１０５に関連して使用されるオーディオデバイス（例えば、スピーカー等）は、可聴形式で選択された情報を提供するために使用されてもよい。
【０１６０】
いくつかの実施形態では、検証ユニット１００は、検証ユニット１００に見出される他の構成要素のうちの１つ以上を制御するように構成され得る制御装置１０６を含んでもよい。制御装置１０６は、例えば、特定用途向け集積回路（ＡＳＩＣ）状態マシン、ゲートアレイ、マイクロプロセッサ、マイクロコントローラ等の任意の好適な処理装置を含んでもよい。
【０１６１】
検証ユニット１００はまた、検証ユニット１００によって収集されるか、又は検証ユニット１００の動作の一環として使用されるかのいずれかであるデータを格納するために使用され得る記憶装置１０７を含んでもよい。例えば、記憶装置１０７は、本明細書に記載のように、検証ユニットを使用して収集された、選択されたオーディオ署名及び／又は画像中の選択された対象に関連するインジケータを格納するために使用されてもよい。記憶装置１０７はまた、本明細書に記載の検証ユニットのいくつかの実施形態において、選択された患者に送達される医療バンドルの登録に関連する識別情報を格納するために使用されてもよい。更に、記憶装置１０７は、本明細書に記載のように、公開装置１０５を使用して送達される、選択された情報を格納するために使用されてもよく、記憶装置１０７に格納され得るデータの実施形態が本明細書に記載され、他のデータも同様に、記憶装置中に格納され得ることが理解されるべきである。制御装置１０６、記憶装置１０７、及び通信装置１０８は、本明細書に記載の検証ユニット１００の情報を伝送する及び／又は受信するために使用されてもよい。
【０１６２】
検証ユニット１１０の一実施形態が図１３に示される。検証ユニット１１０の示される実施形態は、医療職員又は他の人によって着用され得るバッジ１１２の形態である。バッジ１１２は、クリップ、ストラップ等を使用して、検証ユニット１１０を人に取り付けるために使用され得る開口部１１１を含んでもよい。バッジ１１２はまた、バッジ１１２を持ち運んでいる人を識別するために使用される写真又は他の識別情報１１３を含んでもよい。
【０１６３】
バッジに関連する機能を実行することに加えて、検証ユニット１１０はまた、本明細書に記載の方法を実行するために使用される構成要素を含んでもよい。例えば、バッジ１１２は、医療バンドルの送達の間に音を収集するために使用されるマイクロホン１１４を含む。バッジ１１２はまた、本明細書に記載のフィードバック信号、及び／又は公開プロセスの一環として医療バンドルの送達に関連する選択された情報を送達するために使用され得るスピーカー１１６も含む。バッジ１１２はまた、本明細書に記載のように、フィードバック信号を送達するために使用され得る光源１１８、並びに登録された医療バンドルの送達の間に画像を得るため、及び／又は本明細書に記載のように、登録プロセスの一環として使用され得る画像を得るために使用されるカメラ１１５含む。バッジ１１２はまた、バッジ１１２への、又はバッジ１１２からのデータの伝達のために、バッジ内の構成要素を外部デバイスに接続するために使用され得るポート１１７を含んでもよい。
【０１６４】
バッジ１１２はまた、バッジに関連する構成要素の１つ以上の機能を作動するために使用され得る任意のアクチュエータ１１９も含む。例えば、アクチュエータ１１９は、例えば、音の記録プロセスを開始する、画像を得る、登録された医療バンドルの送達の開始及び／若しくは完了、又は離散的作動事象が望ましい場合がある任意の他の機能を示すために使用されてもよい。ボタンの形態で示されるが、アクチュエータ１１９は、任意の好適な形態、例えば、大容量タッチセンサ、抵抗性タッチセンサ等に提供されてもよい。
【０１６５】
いくつかの実施形態では、医療バンドルの適切な送達を検証するために使用される検証ユニットは単独で、すなわち、より大きなシステム又は他の検証ユニットに関連せずに使用されてもよい。しかしながら、多くの場合、検証ユニットは、本明細書に記載のように、登録された医療バンドルの適切な送達を検証するために、例えば医療施設等内で、より大きなシステムの一部として使用されてもよい。検証ユニット１００が登録された医療バンドルの適切な送達を検証するために使用され得る、より大きなシステムの１つの例示的実施形態が、図１４に示される。
【０１６６】
図１４に示されるように、より大きなシステムは、多数の検証ユニット１００、患者ゾーンコントローラ１２０、１つ以上の制御装置１３０、１つ以上の管理システム１４０、及び１つ以上の電子機器による医療記録（ＥＭＲ）システム１５０を含んでもよい。そのシステムはまた、補助オーディオ収集デバイス１６０及び補助画像収集デバイス１７０も含む。具体的な数の異なる構成要素が、図１４のシステムに関連して示されるが、本明細書に記載のシステムは、任意の好適な数の様々な構成要素を含んでもよいことが理解されるべきである。例えば、図１４に示されるシステムは２つの検証ユニットを含むが、本明細書に記載のシステムは、わずか１つの検証ユニットか、又は他の任意の数の検証ユニットで実装されてもよい。
【０１６７】
同様に、患者ゾーンコントローラ１２０は任意であり、すなわち、いくつかのシステムは、例えば、２０１０年９月２４日出願された米国特許出願第１２／８８９，５０３号、発明の名称ＨＹＧＩＥＮＥ  ＭＯＮＩＴＯＲＩＮＧ  ＳＹＳＴＥＭＳ  ＡＮＤ  ＭＥＴＨＯＤＳ（代理人整理番号６５７２２ＵＳ００６）、及び２０１０年１０月１５日に出願された米国特許出願第１２／９０５，２１４号、発明の名称ＨＥＡＬＴＨ  ＣＡＲＥ  ＤＥＬＩＶＥＲＹ  ＭＯＮＩＴＯＲＩＮＧ  ＳＹＳＴＥＭＳ  ＡＮＤ  ＭＥＴＨＯＤＳ（代理人整理番号６５８４５ＵＳ００５）に記載される患者ゾーンコントローラを含んでもよく、一方で、他のシステムは、１つの患者ゾーンコントローラのみか、又は２つを超える患者ゾーンコントローラを含んでもよい。
【０１６８】
図１４に示されるシステムの様々な構成要素は、好ましくは、類似するシステム中に使用される任意の好適な通信プロトコルを通じて、様々な構成要素と通信するネットワーク２００を通じ、相互に操作可能に接続されてもよい。いくつかの潜在的に好適なネットワーク及びそれらと通信するデバイスの例は、例えば、米国特許第７，６３９，９４３号、同第６，８４７，３３４号、同第５，５５３，６０９号、同第６，１２２，５２６号等、及び米国特許出願公開第２００２／０１０８１１８  Ａ１号に記載されてもよい。
【０１６９】
図１４に示されるシステムの一部として提供され得る任意の中央制御装置１３０は、例えば、本明細書に記載の方法の間に使用され得るデータを格納する及び／又は回収するように動作する、１つ以上のデータ処理ユニット及びソフトウェアを含んでもよい。図１４に示されるように、中央制御装置１３０は、画像処理装置１３２、オーディオ処理装置１３４、及び記憶装置１３６を含んでもよい。画像処理装置１３２は、本明細書に記載のように、医療バンドルの送達の間に得られる画像を遠隔で処理して、画像が医療バンドルの適切な送達に関連する選択された対象を含むかどうかを判定するために使用されてもよい。同様に、図１４の中央制御装置１３０に操作可能に接続されるオーディオ処理装置１３４は、医療バンドルの送達の間に得られた音を遠隔で処理して、本明細書に記載のように、音が医療バンドルの適切な送達に関連する１つ以上の選択されたオーディオ署名を含むかどうかを判定するために使用されてもよい。
【０１７０】
図１４に示される記憶装置１３６は、本明細書に記載のように、医療バンドルの適切な送達に関連するインジケータを格納するために、又は多様な他の目的のために使用されてもよい。例えば、記憶装置１３６は、選択された情報が、本明細書に記載の公開プロセスを通じて医療バンドルを送達する個人に通信される状態で、医療バンドルの送達に関連するその選択された情報を格納するために使用されてもよい。
【０１７１】
図１４に示されるシステムはまた、例えば、在庫管理、決済等に関連した用途のために、医療バンドルの送達を監視するために使用され得る管理システム１４０を含んでもよい。例えば、管理システム１４０は、医療バンドルが選択された患者に送達されたことを示すデータを受信してもよく、またそのデータは、決済目的、及び例えば医療施設内の在庫管理等のために使用されてもよい。
【０１７２】
図１４に示されるシステムの一部として提供される更に別の任意の構成要素は、医療バンドルの送達が、医療バンドル送達プロセスの一環として、電子機器による医療記録システム１５０に入力される状態で、システムへの電子機器による医療記録システム（ＥＭＲ）の接続である。
【０１７３】
補助オーディオ収集デバイス１６０及び補助画像収集デバイス１７０は、図１４に示されるシステムに提供され、医療バンドルの送達の間の音、及び／又は医療バンドルの送達の間に収集される画像の収集を補助してもよい。本明細書に記載のように、補助オーディオ収集デバイス１６０は、例えば、聴診器又は他のオーディオ収集デバイス等の形態であってもよく、補助オーディオ収集デバイス１６０を検証ユニット１００に接続する実線によって示されるとおり、検証ユニット１００に直接接続されてもよい。検証ユニット１００への接続の別の方法として、又はそれに加えて、補助オーディオ収集デバイス１６０は、補助オーディオ収集デバイス１６０をネットワーク２００に接続する折れ線によって示されるとおり、ネットワーク２００を通じてシステムの他の構成要素に接続されてもよい。
【０１７４】
同様に、補助画像収集デバイス１７０は、例えば、超音波撮像機械又は他の画像収集デバイス等の形態であってもよく、補助画像収集デバイス１７０を検証ユニット１００に接続する実線によって示されるとおり、検証ユニット１００に直接接続されてもよい。検証ユニットへの接続の別の方法として、又はそれに加えて、補助画像収集デバイス１７０が、補助画像収集デバイス１７０をネットワーク２００に接続する折れ線によって示されるとおり、ネットワーク２００を通じてシステムの他の構成要素に接続されてもよい。
【０１７５】
補助オーディオ収集デバイス１６０及び／又は補助画像収集デバイス１７０が含まれるそれらのシステムでは、補助装置を使用して収集される音及び／又は画像は、中央制御装置１３０を使用して処理されてもよく、中央制御装置１３０は、図１４のシステムに示されるように、好適な画像処理装置１３２又はオーディオ処理装置１３４を含む。
【０１７６】
実施形態
１．患者への医療バンドルの送達を検証する方法であって、
検証ユニットを使用して、選択された患者に送達される医療バンドルを登録する工程と、
登録された医療バンドルが選択された患者に送達されるべきかどうかを判定する工程と、
登録された医療バンドルが選択された患者に送達されるべきかどうかを判定した後で、検証ユニットを使用して登録フィードバック信号を提供する工程であって、登録フィードバック信号が、
登録された医療バンドルが選択された患者に送達されるべきである場合に、確認信号、及び
登録された医療バンドルが選択された患者に送達されるべきでない場合に、是正信号、のうちの少なくとも１つを含む、工程と、
登録された医療バンドルを選択された患者に送達する間に、送達データを収集する工程であって、送達データが、登録された医療バンドルの送達に関連する音を含む、工程と、
登録された医療バンドルの送達の間に収集された音が、登録された医療バンドルの適切な送達に関連する１つ以上の選択されたオーディオ署名を含むかどうかを判定する工程であって、各選択されたオーディオ署名が、登録された医療バンドルの送達の間に話された、選択された音声パターンか、又は登録された医療バンドルの送達の間に収集された、選択された非音声パターンかのいずれかを含む、工程と、
音が１つ以上の選択されたオーディオ署名を含むかどうかを判定した後で、検証ユニットを使用して送達フィードバック信号を提供する工程であって、フィードバック信号が、音が登録された医療バンドルの適切な送達に関連する少なくとも１つの選択されたオーディオ署名を含まない場合に、是正信号、及び音が登録された医療バンドルの適切な送達に関連する少なくとも１つの選択されたオーディオ署名を含む場合に、確認信号、のうちの少なくとも１つを含む、工程と、登録された医療バンドルの送達の間に収集された音に見出される、選択されたオーディオ署名のうちの少なくとも１つを示すインジケータを格納する工程と、を含む、方法。
【０１７７】
２．患者への医療バンドルの送達を検証する方法であって、
選択された患者に送達される医療バンドルを登録する工程と、
検証ユニットを使用して、登録された医療バンドルに関連する選択された情報を公開する工程と、
登録された医療バンドルを選択された患者に送達する間に、送達データを収集する工程であって、送達データが、登録された医療バンドルの送達に関連する音を含む、工程と、
登録された医療バンドルの送達の間に収集された音が、登録された医療バンドルの適切な送達に関連する１つ以上の選択されたオーディオ署名を含むかどうかを判定する工程であって、各選択されたオーディオ署名が、登録された医療バンドルの送達の間に話された、選択された音声パターンか、又は登録された医療バンドルの送達の間に収集された、選択された非音声パターンかのいずれかを含む、工程と、
音が１つ以上の選択されたオーディオ署名を含むかどうかを判定した後で、検証ユニットを使用して送達フィードバック信号を提供する工程であって、フィードバック信号が、音が登録された医療バンドルの適切な送達に関連する少なくとも１つの選択されたオーディオ署名を含まない場合に、是正信号、及び音が登録された医療バンドルの適切な送達に関連する少なくとも１つの選択されたオーディオ署名を含む場合に、確認信号、のうちの少なくとも１つを含む、工程と、登録された医療バンドルの送達の間に収集された音に見出される、選択されたオーディオ署名のうちの少なくとも１つを示すインジケータを格納する工程と、を含む、方法。
【０１７８】
３．検証ユニットは、マイクロホンとオーディオ信号処理装置とを備え、マイクロホン及びオーディオ信号処理装置は、登録された医療バンドルの送達の間に音を収集し、収集された音を処理して、音が登録された医療バンドルの適切な送達に関連する１つ以上の選択されたオーディオ署名を含むかどうかを判定するように構成される、実施形態１又は２に記載の方法。
【０１７９】
４．検証ユニットは、マイクロホンとオーディオ信号処理装置とを備え、マイクロホン及びオーディオ信号処理装置が、登録された医療バンドルの送達の間に収集された音を遠隔オーディオ信号処理装置に伝送するように構成され、遠隔オーディオ信号処理装置が、検証ユニットによって収集された音を処理して、音が登録された医療バンドルの適切な送達に関連する１つ以上の選択されたオーディオ署名を含むかどうかを判定するように構成される、実施形態１又は２に記載の方法。
【０１８０】
５．補助オーディオ収集デバイスが、登録された医療バンドルの送達の間に収集された音の少なくとも一部分を収集する、実施形態１又は２に記載の方法。
【０１８１】
６．補助オーディオ収集デバイスが、聴診器を備える、実施形態５に記載の方法。
【０１８２】
７．登録された医療バンドルの送達の間に収集された音で識別される、選択された非音声パターンが、流水によってもたらされる音、ハンドサニタイザーディスペンサを動作するときにもたらされる音、２０キロヘルツを上回る周波数範囲の音、及び選択されたパッケージを開封するときにもたらされる音のうちの１つ以上を含む、実施形態１又は２に記載の方法。
【０１８３】
８．格納されたインジケータが、テキストデータを含む、実施形態１又は２に記載の方法。
【０１８４】
９．登録された医療バンドルの送達の間に収集された音中の選択されたオーディオ署名が、選択された音声パターンを含む場合、格納されたインジケータが、選択された音声パターンに由来するテキストデータを含む、実施形態１又は２に記載の方法。
【０１８５】
１０．登録された医療バンドルの送達の間に収集された音中の選択されたオーディオ署名が、選択された非音声パターンを含む場合、格納されたインジケータは、選択された非音声パターンを含む、検証ユニットによって収集された音の少なくとも一部分を含む、実施形態１又は２に記載の方法。
【０１８６】
１１．登録された医療バンドルの送達の間に収集された音中の選択されたオーディオ署名が、選択された非音声パターンを含む場合、格納されたインジケータが、選択された非音声パターンに関連する代表的な音を含み、その代表的な音が、登録された医療バンドルの送達の間に収集された音でない、実施形態１又は２のいずれかに記載の方法。
【０１８７】
１２．医療バンドルの送達の間に収集された音中の１つ以上の選択されたオーディオ署名が、２つの選択されたオーディオ署名を含む場合、その方法は、
２つの選択されたオーディオ署名が、登録された医療バンドルの適切な送達に関連する、選択された順序で及び／又は選択された期間内に生じるかどうかを判定する工程と、
２つの選択されたオーディオ署名が、選択された順序で及び／又は選択された期間内に生じるかどうかを判定した後で、検証ユニットを使用して送達フィードバック信号を提供する工程であって、その送達フィードバック信号が、
２つの選択されたオーディオ署名が、登録された医療バンドルの適切な送達に関連する、選択された順序で及び／又は選択された期間内に生じる場合に、確認信号、及び
２つの選択されたオーディオ署名が、登録された医療バンドルの適切な送達に関連する、選択された順序で及び／又は選択された期間内に生じない場合に、是正信号、のうちの少なくとも１つを含む、工程と、を更に含む、実施形態１又は２に記載の方法。
【０１８８】
１３．医療バンドルの送達の間に収集された音中の１つ以上の選択されたオーディオ署名が、選択された音声パターンと選択された非音声パターンとを含む、２つの選択されたオーディオ署名を含む場合、その方法は、
選択された音声パターン及び選択された非音声パターンが、登録された医療バンドルの適切な送達に関連する、選択された順序で及び／又は選択された期間内に生じるかどうかを判定する工程と、
選択された音声パターン及び選択された非音声パターンが、選択された順序で及び／又は選択された期間内に生じるかどうかを判定した後で、検証ユニットを使用して送達フィードバック信号を提供する工程であって、送達フィードバック信号が、選択された音声パターン及び選択された非音声パターンが、登録された医療バンドルの適切な送達に関連する、選択された順序で及び／又は選択された期間内に生じる場合に、確認信号、及び選択された音声パターン及び選択された非音声パターンが、登録された医療バンドルの適切な送達に関連する、選択された順序で及び／又は選択された期間内に生じない場合に、是正信号と、のうちの少なくとも１つを含む、工程と、を更に含む、実施形態１又は２に記載の方法。
【０１８９】
１４．医療バンドルの送達の間に収集された音中の１つ以上の選択されたオーディオ署名が、２つの選択された音声パターンを含む場合、その方法は、
２つの選択された音声パターンが、登録された医療バンドルの適切な送達に関連する、選択された順序で及び／又は選択された期間内に生じるかどうかを判定する工程と、
２つの選択された音声パターンが、選択された順序で及び／又は選択された期間内に生じるかどうかを判定した後で、検証ユニットを使用して送達フィードバック信号を提供する工程であって、送達フィードバック信号が、２つの選択された音声パターンが、登録された医療バンドルの適切な送達に関連する、選択された順序で及び／又は選択された期間内である場合に、確認信号、及び２つの選択された音声パターンが、登録された医療バンドルの適切な送達に関連する、選択された順序で及び／又は選択された期間内に生じない場合に、是正信号、のうちの少なくとも１つを含む、工程と、を更に含む、実施形態１又は２に記載の方法。
【０１９０】
１５．医療バンドルの送達の間に収集された音中の１つ以上の選択されたオーディオ署名が、２つの選択された音声パターンと選択された非音声パターンとを含む場合、その方法は、
２つの選択された音声パターン及び選択された非音声パターンが、登録された医療バンドルの適切な送達に関連する選択された順序で生じるかどうかを判定する工程と、
２つの選択された音声パターン及び選択された非音声パターンが、選択された順序で生じるかどうかを判定した後で、検証ユニットを使用して送達フィードバック信号を提供する工程であって、送達フィードバック信号が、２つの選択された音声パターン及び選択された非音声パターンが、登録された医療バンドルの適切な送達に関連する選択された順序である場合に、確認信号、及び２つの選択された音声パターン及び選択された非音声パターンが、登録された医療バンドルの適切な送達に関連する選択された順序でない場合に、是正信号、のうちの少なくとも１つを含む、工程と、を更に含む、実施形態１又は２に記載の方法。
【０１９１】
１６．登録された医療バンドルを選択された患者に送達する間に、送達データを収集する工程が、
登録された医療バンドルの送達に関連する１つ以上の画像を収集することと、
登録された医療バンドルの送達の間に収集された１つ以上の画像が、登録された医療バンドルの適切な送達に関連する選択された対象を含むかどうかを判定することと、
登録された医療バンドルの送達の間に収集された１つ以上の画像が選択された対象を含むかどうかを判定した後で、検証ユニットを使用して送達フィードバック信号を提供することであって、フィードバック信号が、１つ以上の画像が登録された医療バンドルの適切な送達に関連する選択された対象を含まない場合に、是正信号、及び１つ以上の画像が登録された医療バンドルの適切な送達に関連する選択された対象を含む場合に、確認信号、のうちの少なくとも１つを含む、提供することと、
登録された医療バンドルの送達の間に収集された１つ以上の画像に見出される、登録された医療バンドルの適切な送達に関連する少なくとも１つの選択された対象を示すインジケータを格納することと、を含む、実施形態１又は２に記載の方法。
【０１９２】
１７．検証ユニットが、カメラと画像処理装置とを備え、カメラ及び画像処理装置は、登録された医療バンドルの送達の間に画像を収集し、収集された画像を処理して、１つ以上の画像が登録された医療バンドルの適切な送達に関連する選択された対象を含むかどうかを判定するように構成される、実施形態１６に記載の方法。
【０１９３】
１８．検証ユニットが、カメラと画像処理装置とを備え、カメラ及び画像処理装置は、登録された医療バンドルの送達の間に収集された１つ以上の画像を遠隔画像処理装置に伝送するように構成され、その遠隔画像処理装置は収集された画像を処理して、１つ以上の画像が登録された医療バンドルの適切な送達に関連する選択された対象を含むかどうかを判定するように構成される、実施形態１６に記載の方法。
【０１９４】
１９．補助画像収集デバイスが、登録された医療バンドルの送達の間に収集された１つ以上の画像のうちの少なくとも１つの画像を収集する、実施形態１６に記載の方法。
【０１９５】
２０．補助画像収集デバイスは、超音波撮像デバイス、撮像耳鏡、バーコードスキャナー、携帯電話、及びそれらの組み合わせからなる群から選択される、実施形態１６に記載の方法。
【０１９６】
２１．登録された医療バンドルの送達の間に収集された送達データが、選択されたオーディオ署名と選択された対象とを含む場合、方法が、
選択されたオーディオ署名及び選択された対象を含む画像が、登録された医療バンドルの適切な送達に関連する、選択された順序で及び／又は選択された期間内に収集されたかどうかを判定する工程と、
選択されたオーディオ署名及び選択された対象を含む画像が、選択された順序で及び／又は選択された期間内に収集されたかどうかを判定した後で、検証ユニットを使用して送達フィードバック信号を提供する工程であって、送達フィードバック信号が、選択されたオーディオ署名及び選択された対象を含む画像が、登録された医療バンドルの適切な送達に関連する、選択された順序で及び／又は選択された期間内に収集された場合に、確認信号、及び選択されたオーディオ署名及び選択された対象を含む画像が、登録された医療バンドルの適切な送達に関連する、選択された順序で及び／又は選択された期間内に収集されなかった場合に、是正信号、のうちの少なくとも１つを含む工程と、を更に含む、実施形態１６に記載の方法。
【０１９７】
２２．登録された医療バンドルの送達の間に収集された送達データが、選択された音声パターンと選択された対象とを含む画像を含む場合、方法は、
選択された音声パターン及び選択された対象を含む画像が、登録された医療バンドルの適切な送達に関連する、選択された順序で及び／又は選択された期間内に収集されたかどうかを判定する工程と、
選択された音声パターン及び選択された対象を含む画像が、選択された順序で及び／又は選択された期間内に収集されたかどうかを判定した後で、検証ユニットを使用して送達フィードバック信号を提供する工程であって、送達フィードバック信号が、選択された音声パターン及び選択された対象を含む画像が、登録された医療バンドルの適切な送達に関連する、選択された順序で及び／又は選択された期間内に収集された場合に、確認信号、及び選択された音声パターン及び選択された対象を含む画像が、登録された医療バンドルの適切な送達に関連する、選択された順序で及び／又は選択された期間内に収集されなかった場合に、是正信号、のうちの少なくとも１つを含む工程と、を更に含む、実施形態１６に記載の方法。
【０１９８】
２３．登録された医療バンドルの送達の間に収集された送達データが、選択された非音声パターンと選択された対象を含む画像とを含む場合、その方法は、
選択された非音声パターン及び選択された対象を含む画像が、登録された医療バンドルの適切な送達に関連する、選択された順序で及び／又は選択された期間内に収集されたかどうかを判定する工程と、
選択された非音声パターン及び選択された対象を含む画像が、選択された順序で及び／又は選択された期間内に収集されたかどうかを判定した後で、検証ユニットを使用して送達フィードバック信号を提供する工程であって、その送達フィードバック信号が、
選択された非音声パターン及び選択された対象を含む画像が、登録された医療バンドルの適切な送達に関連する、選択された順序で及び／又は選択された期間内に収集された場合に、確認信号、及び
選択された非音声パターン及び選択された対象を含む画像が、登録された医療バンドルの適切な送達に関連する、選択された順序で及び／又は選択された期間内に収集されなかった場合に、是正信号、のうちの少なくとも１つを含む工程と、を更に含む、実施形態１６に記載の方法。
【０１９９】
２４．選択された患者に送達される登録された医療バンドルを登録する工程が、
医療バンドルを登録する工程の一環として音を収集することと、
医療バンドルを登録する工程の一環として収集された音が、医療バンドルの識別に関連する、選択された音声パターンを含むかどうかを判定することと、を含む、実施形態１又は２に記載の方法。
【０２００】
２５．選択された患者に送達される医療バンドルを登録する工程が、選択された医療バンドルに関連するバンドルクレデンシャルからバンドルデータを得ることを含む、実施形態１又は２に記載の方法。
【０２０１】
２６．選択された患者に送達される医療バンドルを登録する工程が、選択された医療バンドルに関連するバンドルクレデンシャルの光学的しるしをスキャニングすることによって、選択された医療バンドルに関連するバンドルデータを得ることを含む、実施形態１又は２に記載の方法。
【０２０２】
２７．選択された患者に送達される医療バンドルを登録する工程は、選択された医療バンドルに関連する画像を得ることと、その画像が選択された医療バンドルの識別に関連する選択された対象を含むかどうかを判定することと、を含む、実施形態１又は２に記載の方法。
【０２０３】
２８．検証ユニットを使用して、登録された医療バンドルに関連する選択された情報を公開する工程を更に含む、実施形態２に記載の方法。
【０２０４】
２９．選択された情報が、登録された医療バンドルを選択された患者に送達することに関する少なくとも１つの指示を含む、実施形態２８に記載の方法。
【０２０５】
３０．選択された情報が、医療バンドルを登録する工程の前に、検証ユニットに格納される、実施形態２８に記載の方法。
【０２０６】
３１．選択された情報が、医療バンドルを登録する工程の後に、検証ユニットに送達される、実施形態２８に記載の方法。
【０２０７】
３２．患者への医療バンドルの送達を検証する方法であって、その方法が、
検証ユニットを使用して、選択された患者に送達される医療バンドルを登録する工程と、
登録された医療バンドルが選択された患者に送達されるべきかどうかを判定する工程と、
登録された医療バンドルが選択された患者に送達されるべきかどうかを判定した後で、検証ユニットを使用して登録フィードバック信号を提供する工程であって、登録フィードバック信号が、登録された医療バンドルが選択された患者に送達されるべきである場合に、確認信号、及び登録された医療バンドルが選択された患者に送達されるべきでない場合に、是正信号、のうちの少なくとも１つを含む、工程と、
登録された医療バンドルを選択された患者に送達する間に、送達データを収集する工程であって、送達データが、登録された医療バンドルの送達に関連する１つ以上の画像を含む、工程と、
登録された医療バンドルの送達の間に収集された１つ以上の画像が、登録された医療バンドルの適切な送達に関連する、選択された対象を含むかどうかを判定する工程と、
登録された医療バンドルの送達の間に収集された１つ以上の画像が選択された対象を含むかどうかを判定した後で、検証ユニットを使用して送達フィードバック信号を提供する工程であって、フィードバック信号が、
１つ以上の画像が登録された医療バンドルの適切な送達に関連する選択された対象を含まない場合に、是正信号、及び
１つ以上の画像が登録された医療バンドルの適切な送達に関連する選択された対象を含む場合に、確認信号、のうちの少なくとも１つを含む、工程と、
登録された医療バンドルの送達の間に収集された１つ以上の画像に見出される、登録された医療バンドルの適切な送達に関連する少なくとも１つの選択された対象を示すインジケータを格納する工程と、を含む、方法。
【０２０８】
３３．患者への医療バンドルの送達を検証する方法であって、その方法が、
選択された患者に送達される医療バンドルを登録する工程と、
検証ユニットを使用して、登録された医療バンドルに関連する選択された情報を公開する工程と、
登録された医療バンドルを選択された患者に送達する間に、送達データを収集する工程であって、送達データが、登録された医療バンドルの送達に関連する１つ以上の画像を含む、工程と、
登録された医療バンドルの送達の間に収集された１つ以上の画像が、登録された医療バンドルの適切な送達に関連する、選択された対象を含むかどうかを判定する工程と、
登録された医療バンドルの送達の間に収集された１つ以上の画像が選択された対象を含むかどうかを判定した後で、検証ユニットを使用して送達フィードバック信号を提供する工程であって、フィードバック信号が、
１つ以上の画像が登録された医療バンドルの適切な送達に関連する選択された対象を含まない場合に、是正信号、及び
１つ以上の画像が登録された医療バンドルの適切な送達に関連する選択された対象を含む場合に、確認信号、のうちの少なくとも１つを含む、工程と、
登録された医療バンドルの送達の間に収集された１つ以上の画像に見出される、登録された医療バンドルの適切な送達に関連する少なくとも１つの選択された対象を示すインジケータを格納する工程と、を含む、方法。
【０２０９】
３４．検証ユニットが、カメラと画像処理装置とを備え、カメラ及び画像処理装置は、登録された医療バンドルの送達の間に画像を収集し、収集された画像を処理して、１つ以上の画像が、登録された医療バンドルの適切な送達に関連する選択された対象を含むかどうかを判定するように構成される、実施形態３２又は３３に記載の方法。
【０２１０】
３５．検証ユニットが、カメラと画像処理装置とを備え、カメラ及び画像処理装置が、登録された医療バンドルの送達の間に収集された１つ以上の画像を遠隔画像処理装置に伝送するように構成され、その遠隔画像処理装置が、収集された画像を処理して、１つ以上の画像が、登録された医療バンドルの適切な送達に関連する選択された対象を含むかどうかを判定するように構成される、実施形態３２又は３３に記載の方法。
【０２１１】
３６．補助画像収集デバイスが、登録された医療バンドルの送達の間に収集された１つ以上の画像のうちの少なくとも１つの画像を収集する、実施形態３２又は３３に記載の方法。
【０２１２】
３７．補助画像収集デバイスが、超音波撮像デバイス、撮像耳鏡、バーコードスキャナー、携帯電話、及びそれらの組み合わせからなる群から選択される、実施形態３６に記載の方法。
【０２１３】
３８．格納されたインジケータが、選択された対象に関連するテキストデータを含む、実施形態３２又は３３に記載の方法。
【０２１４】
３９．登録された医療バンドルの送達の間に収集された１つ以上の画像が選択された対象を含む場合、格納されたインジケータが、選択された対象を含む画像の少なくとも一部分を含む、実施形態３２又は３３に記載の方法。
【０２１５】
４０．登録された医療バンドルの送達の間に収集された１つ以上の画像が選択された対象を含む場合、格納されたインジケータは選択された対象に関連する代表的な画像を含み、その代表的な画像は、登録された医療バンドルの送達の間に収集された画像でない、実施形態３２又は３３に記載の方法。
【０２１６】
４１．医療バンドルの送達の間に収集された１つ以上の画像が、２つの画像を含む場合、その各々が、登録された医療バンドルの適切な送達に関連する選択された対象を含み、方法は、
２つの画像が、登録された医療バンドルの適切な送達に関連する、選択された順序で及び／又は選択された期間内に収集されたかどうかを判定する工程と、
２つの画像が、選択された順序で及び／又は選択された期間内に収集されたかどうかを判定した後で、検証ユニットを使用して送達フィードバック信号を提供する工程であって、その送達フィードバック信号が、
２つの画像が、登録された医療バンドルの適切な送達に関連する、選択された順序で及び／又は選択された期間内に収集された場合に、確認信号、及び
２つの画像が、登録された医療バンドルの適切な送達に関連する、選択された順序で及び／又は選択された期間内に収集されなかった場合に、是正信号、のうちの少なくとも１つを含む、工程と、を更に含む、実施形態３２又は３３に記載の方法。
【０２１７】
４２．選択された患者に送達される登録された医療バンドルを登録する工程が、
医療バンドルを登録する工程の一環として音を収集することと、
医療バンドルを登録する工程の一環として収集された音が、医療バンドルの識別に関連する、選択された音声パターンを含むかどうかを判定することと、を含む、実施形態３２又は３３に記載の方法。
【０２１８】
４３．選択された患者に送達される医療バンドルを登録する工程が、選択された医療バンドルに関連するバンドルクレデンシャルからバンドルデータを得ることを含む、実施形態３２又は３３に記載の方法。
【０２１９】
４４．選択された患者に送達される医療バンドルを登録する工程が、選択された医療バンドルに関連するバンドルクレデンシャルの光学的しるしをスキャニングすることによって、選択された医療バンドルに関連するバンドルデータを得ることを含む、実施形態３２又は３３に記載の方法。
【０２２０】
４５．選択された患者に送達される医療バンドルを登録する工程が、選択された医療バンドルに関連する画像を得ることと、その画像が、選択された医療バンドルの識別に関連する選択された対象を含むかどうかを判定することと、を含む、実施形態３２又は３３に記載の方法。
【０２２１】
４６．検証ユニットを使用して、登録された医療バンドルに関連する選択された情報を公開する工程を更に含む、実施形態３３に記載の方法。
【０２２２】
４７．選択された情報が、登録された医療バンドルを選択された患者に送達することに関する少なくとも１つの指示を含む、実施形態４６に記載の方法。
【０２２３】
４８．選択された情報が、医療バンドルを登録する工程の前に、検証ユニットに格納される、実施形態４６に記載の方法。
【０２２４】
４９．選択された情報が、医療バンドルを登録する工程の後に、検証ユニットに送達される、実施形態４６に記載の方法。
【０２２５】
５０．患者への医療バンドルの送達を検証するためのシステムであって、
医療施設の通信ネットワークを通じて、中央制御装置に操作可能に接続される複数の検証ユニットであって、検証ユニットの各々が、
選択された患者に送達される医療バンドルを登録するように構成された登録装置と、
検証ユニットに隣接する人によって検出が可能なフィードバック信号を送達するように構成されたフィードバック信号装置と、
医療バンドルの送達の間に音の形態で送達データを収集するように構成された送達データ収集装置と、を備える、複数の検証ユニットを備え、
システムは、
登録された医療バンドルが選択された患者に送達されるべきかどうかを判定し、
登録された医療バンドルが選択された患者に送達されるべきかどうかを判定した後で、検証ユニットのフィードバック信号装置を使用して登録フィードバック信号を提供し、
検証ユニットによって収集された音が、登録された医療バンドルの適切な送達に関連する、１つ以上の選択されたオーディオ署名を含むかどうかを判定し、各選択されたオーディオ署名が、登録された医療バンドルの送達の間に話された、選択された音声パターンか、又は登録された医療バンドルの送達の間に収集された、選択された非音声パターンかのいずれかを含み、
音が、選択されたオーディオ署名のうちの１つ以上を含むかどうかを判定した後で、検証ユニットのフィードバック信号装置を使用して送達フィードバック信号を提供し、
登録された医療バンドルの送達の間に収集された音に見出される、任意の選択されたオーディオ署名のうちの少なくとも１つを示すインジケータを格納するように構成される、システム。
【０２２６】
５１．患者への医療バンドルの送達を検証するためのシステムであって、
医療施設の通信ネットワークを通じて、中央制御装置に操作可能に接続される複数の検証ユニットであって、検証ユニットの各々が、
登録された医療バンドルに関連する選択された情報を検証ユニットに隣接する人に公開するように構成された公開装置と、
検証ユニットに隣接する人によって検出が可能なフィードバック信号を送達するように構成されたフィードバック信号装置と、
医療バンドルの送達の間に音の形態で送達データを収集するように構成された送達データ収集装置と、を備える、複数の検証ユニットを備え、
システムは、登録された医療バンドルが選択された患者に送達されるべきかどうかを判定し、登録された医療バンドルが選択された患者に送達されるべきかどうかを判定した後で、検証ユニットのフィードバック信号装置を使用して登録フィードバック信号を提供し、検証ユニットによって収集された音が、登録された医療バンドルの適切な送達に関連する、１つ以上の選択されたオーディオ署名を含むかどうかを判定し、各選択されたオーディオ署名が、登録された医療バンドルの送達の間に話された、選択された音声パターンか、又は登録された医療バンドルの送達の間に収集された、選択された非音声パターンかのいずれかを含み、音が、選択されたオーディオ署名のうちの１つ以上を含むかどうかを判定した後で、検証ユニットのフィードバック信号装置を使用して送達フィードバック信号を提供し、登録された医療バンドルの送達の間に収集された音に見出される、任意の選択されたオーディオ署名のうちの少なくとも１つを示すインジケータを格納するように構成される、システム。
【０２２７】
５２．フィードバック信号装置が、可視信号、可聴信号、触覚信号、及び２つ以上のそれらの組み合わせからなる群から選択されるフィードバック信号を提供するように構成される、実施形態５０又は５１に記載のシステム。
【０２２８】
５３．検証ユニットが、マイクロホンとオーディオ信号処理装置とを備え、マイクロホン及びオーディオ信号処理装置は、登録された医療バンドルの送達の間に音を収集し、収集された音を処理して、音が、登録された医療バンドルの適切な送達に関連する１つ以上の選択されたオーディオ署名を含むかどうかを判定するように構成される、実施形態５０又は５１に記載のシステム。
【０２２９】
５４．
中央制御装置が、検証ユニットによって収集された音を処理して、検証ユニットによって収集された音が、登録された医療バンドルの適切な送達に関連する１つ以上の選択されたオーディオ署名を含むかどうかを判定するように構成された遠隔オーディオ信号処理装置を備え、
検証ユニットが、マイクロホン、オーディオ信号処理装置、及び登録された医療バンドルの送達の間に検証ユニットによって収集された音を遠隔オーディオ信号処理装置に伝送するように構成された通信装置を備える、実施形態５０又は５１に記載のシステム。
【０２３０】
５５．登録された医療バンドルの送達の間に収集された少なくとも一部分の音を収集するように構成された補助オーディオ収集デバイスを更に備える、実施形態５０又は５１に記載のシステム。
【０２３１】
５６．補助オーディオ収集デバイスが聴診器を備える、実施形態５５に記載のシステム。
【０２３２】
５７．登録された医療バンドルの送達の間に収集された音で識別される、選択された非音声パターンが、流水によってもたらされる音、ハンドサニタイザーディスペンサを動作するときにもたらされる音、２０キロヘルツを上回る周波数範囲の音、及び選択されたパッケージを開封するときにもたらされる音のうちの１つ以上を含む、実施形態５０又は５１に記載のシステム。
【０２３３】
５８．格納されたインジケータが、テキストデータを含む、実施形態５０又は５１に記載のシステム。
【０２３４】
５９．登録された医療バンドルの送達の間に収集された音中の選択されたオーディオ署名が、選択された音声パターンを含む場合、格納されたインジケータが、選択された音声パターンに由来するテキストデータを含む、実施形態５０又は５１に記載のシステム。
【０２３５】
６０．登録された医療バンドルの送達の間に収集された音中の選択されたオーディオ署名が、選択された非音声パターンを含む場合、格納されたインジケータが、選択された非音声パターンを含む検証ユニットによって収集された少なくとも一部分の音を含む、実施形態５０又は５１に記載のシステム。
【０２３６】
６１．登録された医療バンドルの送達の間に収集された音中の選択されたオーディオ署名が、選択された非音声パターンを含む場合、格納されたインジケータが、選択された非音声パターンに関連する代表的な音を含み、代表的な音は、登録された医療バンドルの送達の間に収集された音ではない、実施形態５０又は５１に記載のシステム。
【０２３７】
６２．医療バンドルの送達の間に収集された音中の１つ以上の選択されたオーディオ署名が、２つの選択されたオーディオ署名を含む場合、システムは、
２つの選択されたオーディオ署名が、登録された医療バンドルの適切な送達に関連する、選択された順序で及び／又は選択された期間内に生じるかどうかを判定し、
２つの選択されたオーディオ署名が、選択された順序で及び／又は選択された期間内に生じるかどうかを判定した後で、検証ユニットを使用して送達フィードバック信号を提供するように構成される、実施形態５０又は５１に記載のシステム。
【０２３８】
６３．医療バンドルの送達の間に収集された音中の１つ以上の選択されたオーディオ署名が、選択された音声パターンと選択された非音声パターンとを含む２つの選択されたオーディオ署名を含む場合、システムは、選択された音声パターン及び選択された非音声パターンが、登録された医療バンドルの適切な送達に関連する、選択された順序で及び／又は選択された期間内に生じるかどうかを判定し、選択された音声パターン及び選択された非音声パターンが、選択された順序で及び／又は選択された期間内に生じるかどうかを判定した後で、検証ユニットを使用して送達フィードバック信号を提供するように構成される、実施形態５０又は５１に記載のシステム。
【０２３９】
６４．医療バンドルの送達の間に収集された音中の１つ以上の選択されたオーディオ署名が、２つの選択された音声パターンを含む場合、システムは、２つの選択された音声パターンが、登録された医療バンドルの適切な送達に関連する、選択された順序で及び／又は選択された期間内に生じるかどうかを判定し、２つの選択された音声パターンが、選択された順序で及び／又は選択された期間内に生じるかどうかを判定した後で、検証ユニットを使用して送達フィードバック信号を提供するように構成される、実施形態５０又は５１に記載のシステム。
【０２４０】
６５．医療バンドルの送達の間に収集された音中の１つ以上の選択されたオーディオ署名が、２つの選択された音声パターンと選択された非音声パターンとを含む場合、システムは、２つの選択された音声パターン及び選択された非音声パターンが、登録された医療バンドルの適切な送達に関連する、選択された順序で及び／又は選択された期間内に生じるかどうかを判定し、２つの選択された音声パターン及び選択された非音声パターンが、選択された順序で及び／又は選択された期間内に生じるかどうかを判定した後で、検証ユニットを使用して送達フィードバック信号を提供するように構成される、実施形態５０又は５１に記載のシステム。
【０２４１】
６６．検証ユニットが、登録された医療バンドルの送達に関連する１つ以上の画像を収集するように構成され、システムは、登録された医療バンドルの送達の間に収集された１つ以上の画像が、登録された医療バンドルの適切な送達に関連する、選択された対象を含むかどうかを判定し、登録された医療バンドルの送達の間に収集された１つ以上の画像が選択された対象を含むかどうかを判定した後で、検証ユニットを使用して送達フィードバック信号を提供し、登録された医療バンドルの送達の間に収集された１つ以上の画像に見出される、登録された医療バンドルの適切な送達に関連する少なくとも１つの選択された対象を示すインジケータを格納するように構成される、実施形態５０又は５１に記載のシステム。
【０２４２】
６７．検証ユニットが、カメラと画像処理装置とを備え、カメラ及び画像処理装置は、画像を収集し、収集された画像を処理して、１つ以上の画像が、登録された医療バンドルの適切な送達に関連する選択された対象を含むかどうかを判定するように構成される、実施形態６６に記載のシステム。
【０２４３】
６８．
中央制御装置が、検証ユニットによって収集された画像を処理し、検証ユニットによって収集された画像のうちの１つ以上が、登録された医療バンドルの適切な送達に関連する選択された対象を含むかどうかを判定するように構成された遠隔画像処理装置を備え、検証ユニットは、カメラと、画像処理装置と、登録された医療バンドルの送達の間に検証ユニットによって収集された画像を遠隔画像処理装置に伝送するように構成された通信装置と、を備える、実施形態６６に記載のシステム。
【０２４４】
６９．登録された医療バンドルの送達の間に収集された１つ以上の画像のうちの少なくとも１つの画像を収集するように構成された補助画像収集デバイスを更に備える、実施形態６６に記載のシステム。
【０２４５】
７０．補助画像収集デバイスが、超音波撮像デバイス、撮像耳鏡、バーコードスキャナー、携帯電話、及びそれらの組み合わせからなる群から選択される、実施形態６６に記載のシステム。
【０２４６】
７１．登録された医療バンドルの送達の間に収集された送達データが、選択されたオーディオ署名と選択された対象とを含む場合、システムは、選択されたオーディオ署名及び選択された対象を含む画像が、登録された医療バンドルの適切な送達に関連する、選択された順序で及び／又は選択された期間内に収集されたかどうかを判定し、選択されたオーディオ署名及び選択された対象を含む画像が、選択された順序で及び／又は選択された期間内に収集されたかどうかを判定した後で、検証ユニットを使用して送達フィードバック信号を提供するように構成される、実施形態６６に記載のシステム。
【０２４７】
７２．登録された医療バンドルの送達の間に収集された送達データが、選択された音声パターンと選択された対象を含む画像とを含む場合、システムは、選択された音声パターン及び選択された対象を含む画像が、登録された医療バンドルの適切な送達に関連する、選択された順序で及び／又は選択された期間内に収集されたかどうかを判定し、選択された音声パターン及び選択された対象を含む画像が、選択された順序で及び／又は選択された期間内に収集されたかどうかを判定した後で、検証ユニットを使用して送達フィードバック信号を提供するように構成される、実施形態６６に記載のシステム。
【０２４８】
７３．登録された医療バンドルの送達の間に収集された送達データが、選択された非音声パターンと選択された対象を含む画像とを含む場合、システムは、選択された非音声パターン及び選択された対象を含む画像が、登録された医療バンドルの適切な送達に関連する、選択された順序で及び／又は選択された期間内に収集されたかどうかを判定し、選択された非音声パターン及び選択された対象を含む画像が、選択された順序で及び／又は選択された期間内に収集されたかどうかを判定した後で、検証ユニットを使用して送達フィードバック信号を提供するように構成される、実施形態６６に記載のシステム。
【０２４９】
７４．検証ユニットの登録装置は、医療バンドルを登録する工程の一環として音を収集するように構成され、システムは、医療バンドルを登録する工程の一環として収集された音が、医療バンドルの識別に関連する、選択された音声パターンを含むかどうかを判定するように構成される、実施形態５０に記載のシステム。
【０２５０】
７５．検証ユニットの登録装置は、選択された医療バンドルに関連するバンドルクレデンシャルからバンドルデータを得るように構成される、実施形態５０に記載のシステム。
【０２５１】
７６．検証ユニットの登録装置は、選択された医療バンドルに関連するバンドルクレデンシャルの光学的しるしをスキャニングすることによって、選択された医療バンドルに関連するバンドルデータを得るように構成される、実施形態７５に記載のシステム。
【０２５２】
７７．検証ユニットの登録装置は、選択された医療バンドルに関連する画像を得るように構成され、システムは、画像が、選択された医療バンドルの識別に関連する選択された対象を含むかどうかを判定するように構成される、実施形態５０に記載のシステム。
【０２５３】
７８．公開装置が、選択された患者に登録された医療バンドルを送達することに関する少なくとも１つの指示を公開するように構成される、実施形態５１に記載のシステム。
【０２５４】
７９．公開装置によって公開される、選択された情報が、検証ユニットに格納される、実施形態５１に記載のシステム。
【０２５５】
８０．公開装置によって公開される、選択された情報は、中央制御装置に格納され、システムは、登録された医療バンドルの送達の間に、選択された情報を検証ユニットに送達するように構成される、実施形態５１に記載のシステム。
【０２５６】
８１．患者への医療バンドルの送達を検証するためのシステムであって、医療施設の通信ネットワークを通じて、中央制御装置に操作可能に接続される複数の検証ユニットであって、検証ユニットの各々が、選択された患者に送達される医療バンドルを登録するように構成された登録装置と、検証ユニットに隣接する人によって検出が可能なフィードバック信号を送達するように構成されたフィードバック信号装置と、医療バンドルの送達の間に登録された医療バンドルの送達に関連する１つ以上の画像の形態で送達データを収集するように構成された送達データ収集装置と、を備える、複数の検証ユニットを備え、
システムは、
登録された医療バンドルが選択された患者に送達されるべきかどうかを判定し、登録された医療バンドルが選択された患者に送達されるべきかどうかを判定した後で、検証ユニットのフィードバック信号装置を使用して、登録フィードバック信号を提供し、登録された医療バンドルの送達の間に収集された１つ以上の画像が、登録された医療バンドルの適切な送達に関連する、選択された対象を含むかどうかを判定し、登録された医療バンドルの送達の間に収集された１つ以上の画像が選択された対象を含むかどうかを判定した後で、検証ユニットのフィードバック信号装置を使用して送達フィードバック信号を提供し、登録された医療バンドルの送達の間に収集された１つ以上の画像に見出される、登録された医療バンドルの適切な送達に関連する選択された対象を示すインジケータを格納するように構成される、システム。
【０２５７】
８２．患者への医療バンドルの送達を検証するためのシステムであって、
医療施設の通信ネットワークを通じて、中央制御装置に操作可能に接続される複数の検証ユニットであって、検証ユニットの各々が、登録された医療バンドルに関連する選択された情報を検証ユニットに隣接する人に公開するように構成された公開装置と、検証ユニットに隣接する人によって検出が可能なフィードバック信号を送達するように構成されたフィードバック信号装置と、医療バンドルの送達の間に登録された医療バンドルの送達に関連する１つ以上の画像の形態で送達データを収集するように構成された送達データ収集装置と、を備える、複数の検証ユニットを備え、システムは、
登録された医療バンドルが選択された患者に送達されるべきかどうかを判定し、登録された医療バンドルが選択された患者に送達されるべきかどうかを判定した後で、検証ユニットのフィードバック信号装置を使用して、登録フィードバック信号を提供し、登録された医療バンドルの送達の間に収集された１つ以上の画像が、登録された医療バンドルの適切な送達に関連する、選択された対象を含むかどうかを判定し、登録された医療バンドルの送達の間に収集された１つ以上の画像が選択された対象を含むかどうかを判定した後で、検証ユニットのフィードバック信号装置を使用して送達フィードバック信号を提供し、登録された医療バンドルの送達の間に収集された１つ以上の画像に見出される、登録された医療バンドルの適切な送達に関連する選択された対象を示すインジケータを格納するように構成される、システム。
【０２５８】
８３．フィードバック信号装置が、可視信号、可聴信号、触覚信号、及び２つ又はそれ以上のそれらの組み合わせからなる群から選択されるフィードバック信号を提供するように構成される、実施形態８１又は８２に記載のシステム。
【０２５９】
８４．検証ユニットが、カメラと画像処理装置とを備え、カメラ及び画像処理装置は、登録された医療バンドルの送達の間に画像を収集し、収集された画像を処理して、１つ以上の画像が、登録された医療バンドルの適切な送達に関連する選択された対象を含むかどうかを判定するように構成される、実施形態８１又は８２に記載のシステム。
【０２６０】
８５．
中央制御装置が、収集された画像を処理して、１つ以上の画像が、登録された医療バンドルの適切な送達に関連する選択された対象を含むかどうかを判定するように構成された遠隔画像処理装置を備え、
検証ユニットが、カメラと、画像処理装置と、登録された医療バンドルの送達の間に収集された１つ以上の画像を遠隔画像処理装置に伝送するように構成された通信装置とを備える、実施形態８１又は８２に記載のシステム。
【０２６１】
８６．登録された医療バンドルの送達の間に収集された１つ以上の画像のうちの少なくとも１つの画像を収集するように構成された補助画像収集デバイスを更に備える、実施形態８１又は８２に記載のシステム。
【０２６２】
８７．補助画像収集デバイスが、超音波撮像デバイス、撮像耳鏡、バーコードスキャナー、携帯電話、及びそれらの組み合わせからなる群から選択される、実施形態８１又は８２に記載のシステム。
【０２６３】
８８．格納されたインジケータが、選択された対象に関連するテキストデータを含む、実施形態８１又は８２に記載のシステム。
【０２６４】
８９．登録された医療バンドルの送達の間に収集された１つ以上の画像が選択された対象を含む場合、格納されたインジケータが、選択された対象を含む画像の少なくとも一部分を含む、実施形態８１又は８２に記載のシステム。
【０２６５】
９０．登録された医療バンドルの送達の間に収集された１つ以上の画像が選択された対象を含む場合、格納されたインジケータは選択された対象に関連する代表的な画像を含み、その代表的な画像は、登録された医療バンドルの送達の間に収集された画像ではない、実施形態８１又は８２に記載のシステム。
【０２６６】
９１．医療バンドルの送達の間に収集された１つ以上の画像が、２つの画像を含む場合、それらの各々が、登録された医療バンドルの適切な送達に関連する選択された対象を含み、システムは、２つの画像が、登録された医療バンドルの適切な送達に関連する、選択された順序で及び／又は選択された期間内に収集されたかどうかを判定し、２つの画像が、選択された順序で及び／又は選択された期間内に収集されたかどうかを判定した後で、検証ユニットを使用して送達フィードバック信号を提供するように構成される、実施形態８１又は８２に記載のシステム。
【０２６７】
９２．検証ユニットの登録装置は、医療バンドルを登録する工程の一環として音を収集するように構成され、システムは、医療バンドルを登録する工程の一環として収集された音が、医療バンドルの識別に関連する、選択された音声パターンを含むかどうかを判定するように構成される、実施形態８１又は８２に記載のシステム。
【０２６８】
９３．検証ユニットの登録装置が、選択された医療バンドルに関連するバンドルクレデンシャルからバンドルデータを得るように構成される、実施形態８１に記載のシステム。
【０２６９】
９４．検証ユニットの登録装置が、選択された医療バンドルに関連するバンドルクレデンシャルの光学的しるしをスキャニングすることによって、選択された医療バンドルに関連するバンドルデータを得るように構成される、実施形態９３に記載のシステム。
【０２７０】
９５．検証ユニットの登録装置が、選択された医療バンドルに関連する画像を得るように構成され、システムは、画像が、選択された医療バンドルの識別に関連する選択された対象を含むかどうかを判定するように構成される、実施形態８１又は８２かに記載のシステム。
【０２７１】
９６．公開装置によって公開される、選択された情報が、検証ユニットに格納される、実施形態８２に記載のシステム。
【０２７２】
９７．公開装置によって公開される、選択された情報が、中央制御装置に格納され、システムは、登録された医療バンドルの送達の間に選択された情報を検証ユニットに送達するように構成される、実施形態８２に記載のシステム。
【０２７３】
特許の開示一式、特許文献、及び本明細書に引用された公報の内容全体を、それぞれが個々に援用されたように、参照として本明細書に援用する。
【０２７４】
患者への医療バンドルの送達を検証するための方法、装置、及びシステムの例示的実施形態が論議され、考えられる変形に対して言及された。これら及び他の変形並びに修正は、本発明の範囲を逸脱することなく当業者にとって明らかとなり、本発明は、本明細書に説明される例示的実施形態に制限されないことを理解されたい。したがって本発明は、以下に提供される実施形態及びその均等物によってのみ限定されるべきである。
【図１】
2014505936.tif 000003
【図２】
2014505936.tif 000004
【図３】
2014505936.tif 000005
【図４】
2014505936.tif 000006
【図５】
2014505936.tif 000007
【図６】
2014505936.tif 000008
【図７】
2014505936.tif 000009
【図８】
2014505936.tif 000010
【図９】
2014505936.tif 000011
【図１０】
2014505936.tif 000012
【図１１】
2014505936.tif 000013
【図１２】
2014505936.tif 000014
【図１３】
2014505936.tif 000015
【図１４】
2014505936.tif 000016
【国際調査報告】
2014505936.tif 000017
2014505936.tif 000018